(57)【要約】  本発明は、データ複製伝送の制御方法、ユーザーデバイス（ＵＥ）、ノード及びコンピュータ記憶媒体を開示し、ここで、方法は、マスタノードからの第１の制御情報、及び／又は、スレーブノードからの第２の制御情報を受信することと、前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することとを含む。
2021503244.tif 000002
【特許請求の範囲】
【請求項１】
ユーザーデバイスＵＥに応用されるデータ複製伝送の制御方法であって、
マスタノードからの第１の制御情報、及び／又は、スレーブノードからの第２の制御情報を受信することと、
前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することとを含む
ことを特徴とするデータ複製伝送の制御方法。
【請求項２】
前記マスタノードからの第１の制御情報、及び／又は、スレーブノードからの第２の制御情報を受信することは、
前記マスタノードからのビットマップフォーマットの第１の制御情報、及び／又は、前記スレーブノードからのビットマップフォーマットの第２の制御情報を受信することを含む
ことを特徴とする請求項１に記載のデータ複製伝送の制御方法。
【請求項３】
前記方法は、さらに、
前記ビットマップフォーマットの第１の制御情報、及びＤＲＢの識別情報の間の対応関係に基づいて、前記第１の制御情報が示す第１の部分ＤＲＢを決定することを含む
ことを特徴とする請求項２に記載のデータ複製伝送の制御方法。
【請求項４】
前記方法は、さらに、
前記ビットマップフォーマットの第２の制御情報、及びＤＲＢの識別情報の間の対応関係に基づいて、前記第２の制御情報が示す第２の部分ＤＲＢを決定することを含む
ことを特徴とする請求項２に記載のデータ複製伝送の制御方法。
【請求項５】
前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することは、
前記第１の制御情報に対応する第１の部分ＤＲＢには、プライマリセルベアラとする第１のＤＲＢが含まれる場合、前記第１の制御情報の指示に基づいて記第１のＤＲＢのデータ複製伝送機能をオン又はオフすると決定することを含む
ことを特徴とする請求項１〜４のいずれか１項に記載のデータ複製伝送の制御方法。
【請求項６】
前記第１のＤＲＢが第２の部分ＤＲＢに含まれない
ことを特徴とする請求項５に記載のデータ複製伝送の制御方法。
【請求項７】
前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することは、
前記第２の制御情報に対応する第２の部分ＤＲＢには、セカンダリセルベアラとする第２のＤＲＢが含まれる場合、前記第２の制御情報の指示に基づいて前記第２のＤＲＢのデータ複製伝送機能をオン又はオフすると決定することを含む
ことを特徴とする請求項１〜４のいずれか１項に記載のデータ複製伝送の制御方法。
【請求項８】
前記第２のＤＲＢが第１の部分ＤＲＢに含まれない
ことを特徴とする請求項７に記載のデータ複製伝送の制御方法。
【請求項９】
前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することは、
前記第１の制御情報に対応する第１の部分ＤＲＢには、オフロードベアラとする第３のＤＲＢが含まれ、及び／又は、前記第２の制御情報に対応する第２の部分ＤＲＢには、オフロードベアラとする第３のＤＲＢが含まれる場合、
予め設定された条件に基づいて、前記第３のＤＲＢのデータ複製伝送機能をオン又はオフすると決定することを含む
ことを特徴とする請求項１〜４のいずれか１項に記載のデータ複製伝送の制御方法。
【請求項１０】
前記予め設定された条件は、
前記第３のＤＲＢのＰＤＣＰの位置するグループに基づいて、前記グループに対応するノードからの制御情報に応じて前記第３のＤＲＢのデータ複製伝送機能のオン又はオフを制御すると決定すること、
前記第３のＤＲＢに対応するデフォルト伝送経路に基づいて、前記デフォルト伝送経路の以外の制御ノードに対応する制御情報に応じて前記第３のＤＲＢのデータ複製伝送機能のオン又はオフを制御すると決定すること、
前記第３のＤＲＢのＰＤＣＰバージョンに基づいて、前記ＰＤＣＰバージョンに対応するノードからの制御情報に応じて前記第３のＤＲＢのデータ複製伝送機能のオン又はオフを制御すると決定することのうちの少なくとも１つを含む
ことを特徴とする請求項９に記載のデータ複製伝送の制御方法。
【請求項１１】
前記方法は、さらに、
第３のＤＲＢに対応する鍵値を取得し、前記第３のＤＲＢに対応する鍵値に基づいて前記第３のＳＲＢのＰＤＣＰの位置するグループを決定することを含む
ことを特徴とする請求項１０に記載のデータ複製伝送の制御方法。
【請求項１２】
前記第３のＤＲＢのＰＤＣＰバージョンは、
ＬＴＥ  ＰＤＣＰのバージョン、又はＮＲ  ＰＤＣＰバージョンである
ことを特徴とする請求項１０に記載のデータ複製伝送の制御方法。
【請求項１３】
前記デフォルト伝送経路は、複製データ伝送機能が非アクティブ状態の場合に利用される経路である
ことを特徴とする請求項１０に記載のデータ複製伝送の制御方法。
【請求項１４】
前記方法は、さらに、
予め設定された規則に基づいて、前記少なくとも１つのＤＲＢの各ＤＲＢが第１の制御情報又は第２の制御情報に対応すると決定することを含む
ことを特徴とする請求項１に記載のデータ複製伝送の制御方法。
【請求項１５】
前記予め設定された規則は、
ＤＲＢがプライマリセルベアラである場合、前記ＤＲＢが前記第１の制御情報に対応する第１の部分ＤＲＢに含まれること、
ＤＲＢがセカンダリセルベアラである場合、前記ＤＲＢが前記第２の制御情報に対応する第２の部分ＤＲＢに含まれることのうちの少なくとも１つを含む
ことを特徴とする請求項１４に記載のデータ複製伝送の制御方法。
【請求項１６】
前記ＤＲＢは、プライマリセルベアラである場合、第２の部分ＤＲＢに含まれない
ことを特徴とする請求項１５に記載のデータ複製伝送の制御方法。
【請求項１７】
前記ＤＲＢは、セカンダリセルベアラである場合、第１の部分ＤＲＢに含まれない
ことを特徴とする請求項１５に記載のデータ複製伝送の制御方法。
【請求項１８】
前記予め設定された規則は、さらに、
ＤＲＢのＰＤＣＰバージョンが第１のバージョンである場合、前記ＤＲＢが前記第１の制御情報に対応する第１の部分ＤＲＢに含まれること、
ＤＲＢのＰＤＣＰバージョンが第２のバージョンである場合、前記ＤＲＢが前記第２の制御情報に対応する第２の部分ＤＲＢに含まれることのうちの少なくとも１つを含む
ことを特徴とする請求項１４又は１５に記載のデータ複製伝送の制御方法。
【請求項１９】
前記第１のバージョンと第２のバージョンとは異なり、前記第１のバージョンと第２のバージョンとは、それぞれＬＴＥ  ＰＤＣＰバージョン及びＮＲ  ＰＤＣＰバージョンである
ことを特徴とする請求項１８に記載のデータ複製伝送の制御方法。
【請求項２０】
前記方法は、さらに、
ＤＲＢのＰＤＣＰバージョンが第２のバージョンである場合、前記ＤＲＢが前記第１の部分ＤＲＢに含まれないことと、
ＤＲＢのＰＤＣＰバージョンが第１のバージョンである場合、前記ＤＲＢが前記第２の部分ＤＲＢに含まれないこととを含む
ことを特徴とする請求項１８に記載のデータ複製伝送の制御方法。
【請求項２１】
前記予め設定された規則は、さらに、
ＤＲＢのＰＤＣＰがプライマリセルグループ鍵を使用する場合、前記ＤＲＢが前記第１の制御情報に対応する第１の部分ＤＲＢに含まれること、
ＤＲＢのＰＤＣＰがセカンダリセルグループ鍵を使用する場合、前記ＤＲＢが前記第２の制御情報に対応する第２の部分ＤＲＢに含まれることのうちの少なくとも１つを含む
ことを特徴とする請求項１４〜１８のいずれか１項に記載のデータ複製伝送の制御方法。
【請求項２２】
前記方法は、さらに、
ＤＲＢのＰＤＣＰがプライマリセルグループ鍵を使用する場合、前記ＤＲＢが前記第２の制御情報に対応する第２の部分ＤＲＢに含まれないことと、
ＤＲＢのＰＤＣＰがセカンダリセルグループ鍵を使用する場合、前記ＤＲＢが前記第１の制御情報に対応する第１の部分ＤＲＢに含まれないこととを含む
ことを特徴とする請求項２１に記載のデータ複製伝送の制御方法。
【請求項２３】
前記予め設定された規則は、さらに、
ＤＲＢがオフロードベアラである場合、前記ＤＲＢのＰＤＣＰの位置するグループに基づいて、ＰＤＣＰの位置するグループに対応するノードからの制御情報に応じて前記ＤＲＢを制御すると決定すること、
ＤＲＢがオフロードベアラである場合、前記ＤＲＢに対応するデフォルト伝送経路に基づいて、前記デフォルト伝送経路の以外のノードからの制御情報に応じて前記ＤＲＢを制御すると決定すること、
ＤＲＢがオフロードベアラである場合、前記ＤＲＢに対応するデフォルト伝送経路に基づいて、前記デフォルト伝送経路のノードからの制御情報に応じて前記ＤＲＢを制御すると決定すること、
ＤＲＢがオフロードベアラである場合、前記ＤＲＢ的ＰＤＣＰバージョンに基づいて、前記ＰＤＣＰバージョンに対応するノードからの制御情報に応じて前記ＤＲＢを制御すると決定すること、
ＤＲＢがオフロードベアラである場合、ノードのエアインターフェースタイプに基づいて、特定のエアインターフェースタイプのノードからの制御情報に応じて前記ＤＲＢを制御すると決定することのうちの少なくとも１つを含む
ことを特徴とする請求項１４に記載のデータ複製伝送の制御方法。
【請求項２４】
前記方法は、さらに、
ＤＲＢがオフロードベアラである場合、前記ＤＲＢのＰＤＣＰの位置するグループに基づいて、ＤＲＢの位置しないグループに対応するノードからの制御情報が前記ＤＲＢを制御することができないと決定することを含む
ことを特徴とする請求項２３に記載のデータ複製伝送の制御方法。
【請求項２５】
前記方法は、さらに、
ＤＲＢがオフロードベアラである場合、前記ＤＲＢに対応するデフォルト伝送経路に基づいて、前記デフォルト伝送経路のノードからの制御情報が前記ＤＲＢを制御することができないと決定することを含む
ことを特徴とする請求項２３に記載のデータ複製伝送の制御方法。
【請求項２６】
前記方法は、さらに、
ＤＲＢがオフロードベアラである場合、前記ＤＲＢのＰＤＣＰバージョンに基づいて、前記ＰＤＣＰバージョンに対応しないノードからの制御情報が前記ＤＲＢを制御することができないと決定することを含む
ことを特徴とする請求項２３に記載のデータ複製伝送の制御方法。
【請求項２７】
前記方法は、さらに、
第３のＤＲＢに対応する鍵値を取得し、前記第３のＤＲＢに対応する鍵値に基づいて前記第３のＳＲＢのＰＤＣＰの位置するグループを決定することを含む
ことを特徴とする請求項２３に記載のデータ複製伝送の制御方法。
【請求項２８】
前記第３のＤＲＢのＰＤＣＰバージョンは、
ＬＴＥ  ＰＤＣＰのバージョン、又はＮＲ  ＰＤＣＰバージョンである
ことを特徴とする請求項２３に記載のデータ複製伝送の制御方法。
【請求項２９】
前記デフォルト伝送経路は、複製データ伝送機能が非アクティブ状態の場合に利用される経路である
ことを特徴とする請求項２３に記載のデータ複製伝送の制御方法。
【請求項３０】
ネットワークノードに応用されるデータ複製伝送の制御方法であって、
予め設定された条件に基づいて、マスタノードが第１の制御情報を送信し、及び／又は、スレーブノードが第２の制御情報を送信すると決定することと、
前記第１の制御情報に対応する第１の部分データ無線ベアラＤＲＢの指示、及び／又は、前記第２の制御情報に対応する第２の部分ＤＲＢの指示に基づいて、端末が少なくとも１つのＤＲＢのデータ複製伝送機能をオン又はオフすると決定することとを含む
ことを特徴とするデータ複製伝送の制御方法。
【請求項３１】
前記方法は、さらに、
前記少なくとも１つのＤＲＢにはＰＤＣＰバージョンが第１のバージョンであるＤＲＢが含まれる場合、スレーブノードが第２の制御情報を送信しないと決定することを含む
ことを特徴とする請求項３０に記載のデータ複製伝送の制御方法。
【請求項３２】
前記少なくとも１つのＤＲＢにはＰＤＣＰバージョンが第１のバージョンであるＤＲＢが含まれる場合、前記方法は、さらに、
前記少なくとも１つのＤＲＢにはオフロードベアラが含まれ、スレーブノードが第２の制御情報を送信しないと決定することを含む
ことを特徴とする請求項３１に記載のデータ複製伝送の制御方法。
【請求項３３】
前記方法は、さらに、
前記少なくとも１つのＤＲＢにはＰＤＣＰバージョンが第２のバージョンであるＤＲＢが含まれる場合、マスタノードが第１の制御情報を送信しないと決定することを含む
ことを特徴とする請求項３０に記載のデータ複製伝送の制御方法。
【請求項３４】
前記少なくとも１つのＤＲＢにはＰＤＣＰバージョンが第２のバージョンであるＤＲＢが含まれる場合、前記方法は、さらに、前記少なくとも１つのＤＲＢにはオフロードベアラが含まれ、又は、前記少なくとも１つのＤＲＢには、ＰＤＣＰバージョンが第２のバージョンであるプライマリセルグループベアラが含まれることを含む
ことを特徴とする請求項３３に記載のデータ複製伝送の制御方法。
【請求項３５】
マスタノードに応用されるデータ複製伝送の制御方法であって、
スレーブノードとネゴシエーションし、目標ＵＥの少なくとも１つのデータ無線ベアラのデータ複製伝送機能をオン又はオフすると決定することと、
前記ネゴシエーション結果に基づいて、前記マスタノードが前記目標ＵＥが前記少なくとも１つのデータ無線ベアラ内の第１の部分データ無線ベアラのデータ複製機能をオン又はオフするように制御し、前記スレーブノードが前記目標ＵＥが前記少なくとも１つのデータ無線ベアラ内の第２の部分データ無線ベアラのデータ複製機能をオン又はオフするように制御すると決定することと、
オン又はオフと決定された前記第１の部分データ無線ベアラＤＲＢのデータ複製機能に基づいて、第１の制御情報を生成し、前記第１の制御情報を前記目標ＵＥに送信することとを含み、
前記第１の部分データ無線ベアラと前記第２の部分データ無線ベアラとは、少なくとも一部が異なる
ことを特徴とするデータ複製伝送の制御方法。
【請求項３６】
オン又はオフと決定された前記第１の部分ＤＲＢのデータ複製機能に基づいて、第１の制御情報を生成することは、
ＤＲＢの識別情報とビットマップのデータビットとの対応関係を取得することと、
ビットマップにおいて前記第１の部分ＤＲＢの識別情報に対応するデータビットを設定して、前記第１の制御情報を生成することとを含む
ことを特徴とする請求項３５に記載のデータ複製伝送の制御方法。
【請求項３７】
前記方法は、さらに、
目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定することを含む
ことを特徴とする請求項３５に記載のデータ複製伝送の制御方法。
【請求項３８】
前記方法は、さらに、
目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定することを含む
ことを特徴とする請求項３５に記載のデータ複製伝送の制御方法。
【請求項３９】
前記方法は、さらに、
目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定することを含む
ことを特徴とする請求項３５に記載のデータ複製伝送の制御方法。
【請求項４０】
スレーブノードに応用されるデータ複製伝送機能の制御方法であって、
マスタノードとネゴシエーションし、目標ＵＥの少なくとも１つのデータ無線ベアラのデータ複製伝送機能をオン又はオフすると決定することと、
前記ネゴシエーション結果に基づいて、前記マスタノードが前記目標ＵＥが前記少なくとも１つのデータ無線ベアラ内の第１の部分データ無線ベアラＤＲＢのデータ複製機能をオン又はオフするように制御し、前記スレーブノードが前記目標ＵＥが前記少なくとも１つのＤＲＢ内の第２の部分データ無線ベアラのデータ複製機能をオンするように制御すると決定することと、
オン又はオフと決定された前記第２の部分ＤＲＢのデータ複製機能に基づいて、第２の制御情報を生成し、前記第２の制御情報を前記目標ＵＥに送信することとを含み、
前記第１の部分ＤＲＢと前記第２の部分ＤＲＢとは、少なくとも一部が異なる
ことを特徴とするデータ複製伝送の制御方法。
【請求項４１】
前記第２の制御情報を生成することは、
ＤＲＢの識別情報とビットマップのデータビットとの対応関係を取得することと、
ビットマップにおいて前記第２の部分ＤＲＢの識別情報に対応するデータビットを設定して、前記第２の制御情報を生成することとを含む
ことを特徴とする請求項４０に記載のデータ複製伝送の制御方法。
【請求項４２】
前記方法は、さらに、
目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定することを含む
ことを特徴とする請求項４０に記載のデータ複製伝送の制御方法。
【請求項４３】
前記方法は、さらに、
目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定することを含む
ことを特徴とする請求項４０に記載のデータ複製伝送の制御方法。
【請求項４４】
前記方法は、さらに、
目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定することを含む
ことを特徴とする請求項４０に記載のデータ複製伝送の制御方法。
【請求項４５】
第１の通信ユニットと、第１の処理ユニットとを備えるＵＥであって、
前記第１の通信ユニットは、マスタノードからの第１の制御情報、及び／又は、スレーブノードからの第２の制御情報を受信するように構成され、
前記第１の処理ユニットは、前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定するように構成される
ことを特徴とするＵＥ。
【請求項４６】
前記第１の通信ユニットは、前記マスタノードからのビットマップフォーマットの第１の制御情報、及び／又は、前記スレーブノードからのビットマップフォーマットの第２の制御情報を受信するように構成される
ことを特徴とする請求項４５に記載のＵＥ。
【請求項４７】
前記第１の処理ユニットは、
前記ビットマップフォーマットの第１の制御情報、及びＤＲＢの識別情報の間の対応関係に基づいて、前記第１の制御情報が示す第１の部分ＤＲＢを決定するように構成される
ことを特徴とする請求項４６に記載のＵＥ。
【請求項４８】
前記第１の処理ユニットは、
前記ビットマップフォーマットの第２の制御情報、及びＤＲＢの識別情報の間の対応関係に基づいて、前記第２の制御情報が示す第２の部分ＤＲＢを決定するように構成される
ことを特徴とする請求項４６に記載のＵＥ。
【請求項４９】
前記第１の処理ユニットは、
前記第１の制御情報に対応する第１の部分ＤＲＢには、プライマリセルベアラとする第１のＤＲＢが含まれる場合、前記第１の制御情報の指示に基づいて記第１のＤＲＢのデータ複製伝送機能をオン又はオフすると決定するように構成される
ことを特徴とする請求項４５〜４８のいずれか１項に記載のＵＥ。
【請求項５０】
前記第１のＤＲＢが第２の部分ＤＲＢに含まれない
ことを特徴とする請求項４９に記載のＵＥ。
【請求項５１】
前記第１の処理ユニットは、前記第２の制御情報に対応する第２の部分ＤＲＢには、セカンダリセルベアラとする第２のＤＲＢが含まれる場合、前記第２の制御情報の指示に基づいて前記第２のＤＲＢのデータ複製伝送機能をオン又はオフすると決定するように構成される
ことを特徴とする請求項４５〜４８のいずれか１項に記載のＵＥ。
【請求項５２】
前記第２のＤＲＢが第１の部分ＤＲＢに含まれない
ことを特徴とする請求項５１に記載のＵＥ。
【請求項５３】
前記第１の処理ユニットは、前記第１の制御情報に対応する第１の部分ＤＲＢには、オフロードベアラとする第３のＤＲＢが含まれ、及び／又は、前記第２の制御情報に対応する第２の部分ＤＲＢには、オフロードベアラとする第３のＤＲＢが含まれる場合、
予め設定された条件に基づいて、前記第３のＤＲＢのデータ複製伝送機能をオン又はオフすると決定するように構成される
ことを特徴とする請求項４５〜４８のいずれか１項に記載のＵＥ。
【請求項５４】
前記予め設定された条件は、
前記第３のＤＲＢのＰＤＣＰの位置するグループに基づいて、前記グループに対応するノードからの制御情報に応じて前記第３のＤＲＢのデータ複製伝送機能のオン又はオフを制御すると決定すること、
前記第３のＤＲＢに対応するデフォルト伝送経路に基づいて、前記デフォルト伝送経路の以外の制御ノードに対応する制御情報に応じて前記第３のＤＲＢのデータ複製伝送機能のオン又はオフを制御すると決定すること、
前記第３のＤＲＢのＰＤＣＰバージョンに基づいて、前記ＰＤＣＰバージョンに対応するノードからの制御情報に応じて前記第３のＤＲＢのデータ複製伝送機能のオン又はオフを制御すると決定することのうちの少なくとも１つを含む
ことを特徴とする請求項５３に記載のＵＥ。
【請求項５５】
前記第１の処理ユニットは、第３のＤＲＢに対応する鍵値を取得し、前記第３のＤＲＢに対応する鍵値に基づいて前記第３のＳＲＢのＰＤＣＰの位置するグループを決定するように構成される
ことを特徴とする請求項５４に記載のＵＥ。
【請求項５６】
前記第３のＤＲＢのＰＤＣＰバージョンは、
ＬＴＥ  ＰＤＣＰのバージョン、又はＮＲ  ＰＤＣＰバージョンである
ことを特徴とする請求項５４に記載のＵＥ。
【請求項５７】
前記デフォルト伝送経路は、複製データ伝送機能が非アクティブ状態の場合に利用される経路である
ことを特徴とする請求項５４に記載のＵＥ。
【請求項５８】
前記第１の処理ユニットは、予め設定された規則に基づいて、前記少なくとも１つのＤＲＢの各ＤＲＢが第１の制御情報又は第２の制御情報に対応すると決定するように構成される
ことを特徴とする請求項５５に記載のＵＥ。
【請求項５９】
前記予め設定された規則は、
ＤＲＢがプライマリセルベアラである場合、前記ＤＲＢが前記第１の制御情報に対応する第１の部分ＤＲＢに含まれること、
ＤＲＢがセカンダリセルベアラである場合、前記ＤＲＢが前記第２の制御情報に対応する第２の部分ＤＲＢに含まれることのうちの少なくとも１つを含む
ことを特徴とする請求項５８に記載のＵＥ。
【請求項６０】
前記ＤＲＢは、プライマリセルベアラである場合、第２の部分ＤＲＢに含まれない
ことを特徴とする請求項５９に記載のＵＥ。
【請求項６１】
前記ＤＲＢは、セカンダリセルベアラである場合、第１の部分ＤＲＢに含まれない
ことを特徴とする請求項５９に記載のＵＥ。
【請求項６２】
前記予め設定された規則は、さらに、
ＤＲＢのＰＤＣＰバージョンが第１のバージョンである場合、前記ＤＲＢが前記第１の制御情報に対応する第１の部分ＤＲＢに含まれること、
ＤＲＢのＰＤＣＰバージョンが第２のバージョンである場合、前記ＤＲＢが前記第２の制御情報に対応する第２の部分ＤＲＢに含まれることのうちの少なくとも１つを含む
ことを特徴とする請求項５８又は５９に記載のＵＥ。
【請求項６３】
前記第１のバージョンと第２のバージョンとは異なり、前記第１のバージョンと第２のバージョンとは、それぞれＬＴＥ  ＰＤＣＰバージョン及びＮＲ  ＰＤＣＰバージョンである
ことを特徴とする請求項６２に記載のＵＥ。
【請求項６４】
ＤＲＢのＰＤＣＰバージョンが第２のバージョンである場合、前記ＤＲＢが前記第１の部分ＤＲＢに含まれなく、
ＤＲＢのＰＤＣＰバージョンが第１のバージョンである場合、前記ＤＲＢが前記第２の部分ＤＲＢに含まれない
ことを特徴とする請求項６３に記載のＵＥ。
【請求項６５】
前記予め設定された規則は、さらに、
ＤＲＢのＰＤＣＰがプライマリセルグループ鍵を使用する場合、前記ＤＲＢが前記第１の制御情報に対応する第１の部分ＤＲＢに含まれること、
ＤＲＢのＰＤＣＰがセカンダリセルグループ鍵を使用する場合、前記ＤＲＢが前記第２の制御情報に対応する第２の部分ＤＲＢに含まれることのうちの少なくとも１つを含む
ことを特徴とする請求項５８〜６４のいずれか１項に記載のＵＥ。
【請求項６６】
ＤＲＢのＰＤＣＰがプライマリセルグループ鍵を使用する場合、前記ＤＲＢが前記第２の制御情報に対応する第２の部分ＤＲＢに含まれなく、
ＤＲＢのＰＤＣＰがセカンダリセルグループ鍵を使用する場合、前記ＤＲＢが前記第１の制御情報に対応する第１の部分ＤＲＢに含まれない
ことを特徴とする請求項６５に記載のＵＥ。
【請求項６７】
前記ＤＲＢは、プライマリセルベアラである場合、第２の部分ＤＲＢに含まれない
ことを特徴とする請求項６６に記載のＵＥ。
【請求項６８】
前記ＤＲＢは、セカンダリセルベアラである場合、第１の部分ＤＲＢに含まれない
ことを特徴とする請求項６６に記載のＵＥ。
【請求項６９】
前記予め設定された規則は、さらに、
ＤＲＢがオフロードベアラである場合、前記ＤＲＢのＰＤＣＰの位置するグループに基づいて、ＰＤＣＰの位置するグループに対応するノードからの制御情報に応じて前記ＤＲＢを制御すると決定すること、
ＤＲＢがオフロードベアラである場合、前記ＤＲＢに対応するデフォルト伝送経路に基づいて、前記デフォルト伝送経路の以外のノードからの制御情報に応じて前記ＤＲＢを制御すると決定すること、
ＤＲＢがオフロードベアラである場合、前記ＤＲＢに対応するデフォルト伝送経路に基づいて、前記デフォルト伝送経路のノードからの制御情報に応じて前記ＤＲＢを制御すると決定すること、
ＤＲＢがオフロードベアラである場合、前記ＤＲＢ的ＰＤＣＰバージョンに基づいて、前記ＰＤＣＰバージョンに対応するノードからの制御情報に応じて前記ＤＲＢを制御すると決定すること、
ＤＲＢがオフロードベアラである場合、ノードのエアインターフェースタイプに基づいて、特定のエアインターフェースタイプのノードからの制御情報に応じて前記ＤＲＢを制御すると決定することのうちの少なくとも１つを含む
ことを特徴とする請求項５８に記載のＵＥ。
【請求項７０】
前記第１の処理ユニットは、ＤＲＢがオフロードベアラである場合、前記ＤＲＢのＰＤＣＰの位置するグループに基づいて、ＤＲＢの位置しないグループに対応するノードからの制御情報が前記ＤＲＢを制御することができないと決定するように構成される
ことを特徴とする請求項６９に記載のＵＥ。
【請求項７１】
前記第１の処理ユニットは、ＤＲＢがオフロードベアラである場合、前記ＤＲＢに対応するデフォルト伝送経路に基づいて、前記デフォルト伝送経路のノードからの制御情報が前記ＤＲＢを制御することができないと決定するように構成される
ことを特徴とする請求項６９に記載のＵＥ。
【請求項７２】
前記第１の処理ユニットは、ＤＲＢがオフロードベアラである場合、前記ＤＲＢのＰＤＣＰバージョンに基づいて、前記ＰＤＣＰバージョンに対応しないノードからの制御情報が前記ＤＲＢを制御することができないと決定するように構成される
ことを特徴とする請求項６９に記載のＵＥ。
【請求項７３】
前記第１の処理ユニットは、第３のＤＲＢに対応する鍵値を取得し、前記第３のＤＲＢに対応する鍵値に基づいて前記第３のＳＲＢのＰＤＣＰの位置するグループを決定するように構成される
ことを特徴とする請求項７２に記載のＵＥ。
【請求項７４】
前記第３のＤＲＢのＰＤＣＰバージョンは、
ＬＴＥ  ＰＤＣＰのバージョン、又はＮＲ  ＰＤＣＰバージョンである
ことを特徴とする請求項７２に記載のＵＥ。
【請求項７５】
前記デフォルト伝送経路は、複製データ伝送機能が非アクティブ状態の場合に利用される経路である
ことを特徴とする請求項７２に記載のＵＥ。
【請求項７６】
第４の通信ユニットと、第４の処理ユニットとを備えるネットワークノードであって、
前記第４の通信ユニットは、予め設定された条件に基づいて、マスタノードが第１の制御情報を送信し、及び／又は、スレーブノードが第２の制御情報を送信すると決定するように構成され、
前記第４の処理ユニットは、前記第１の制御情報に対応する第１の部分データ無線ベアラＤＲＢの指示、及び／又は、前記第２の制御情報に対応する第２の部分ＤＲＢの指示に基づいて、端末が少なくとも１つのＤＲＢのデータ複製伝送機能をオン又はオフすると決定するように構成される
ことを特徴とするネットワークノード。
【請求項７７】
前記第４の処理ユニットは、前記少なくとも１つのＤＲＢにはＰＤＣＰバージョンが第１のバージョンであるＤＲＢが含まれる場合、スレーブノードが第２の制御情報を送信しないと決定するように構成される
ことを特徴とする請求項７６に記載のネットワークノード。
【請求項７８】
前記第４の処理ユニットは、前記少なくとも１つのＤＲＢにはＰＤＣＰバージョンが第１のバージョンであるＤＲＢが含まれる場合、前記少なくとも１つのＤＲＢにはオフロードベアラが含まれ、スレーブノードが第２の制御情報を送信しないと決定するように構成される
ことを特徴とする請求項７６に記載のネットワークノード。
【請求項７９】
前記第４の処理ユニットは、前記少なくとも１つのＤＲＢにはＰＤＣＰバージョンが第２のバージョンであるＤＲＢが含まれる場合、マスタノードが第１の制御情報を送信しないと決定するように構成される
ことを特徴とする請求項７６に記載のネットワークノード。
【請求項８０】
前記第４の処理ユニットは、前記少なくとも１つのＤＲＢにはＰＤＣＰバージョンが第２のバージョンであるＤＲＢが含まれる場合、前記少なくとも１つのＤＲＢにはオフロードベアラが含まれ、又は、前記少なくとも１つのＤＲＢには、ＰＤＣＰバージョンが第２のバージョンであるプライマリセルグループベアラが含まれる
ことを特徴とする請求項７９に記載のネットワークノード。
【請求項８１】
第２の通信ユニットと、第２の処理ユニットとを備えるマスタノードであって、
前記第２の通信ユニットは、スレーブノードとネゴシエーションし、目標ＵＥの少なくとも１つのデータ無線ベアラのデータ複製伝送機能をオン又はオフすると決定し、前記第１の制御情報を前記目標ＵＥに送信するように構成され、
前記第２の処理ユニットは、前記ネゴシエーション結果に基づいて、前記マスタノードが前記目標ＵＥが前記少なくとも１つのデータ無線ベアラ内の第１の部分データ無線ベアラのデータ複製機能をオン又はオフするように制御し、前記スレーブノードが前記目標ＵＥが前記少なくとも１つのデータ無線ベアラ内の第２の部分データ無線ベアラのデータ複製機能をオン又はオフするように制御すると決定し、オン又はオフと決定された前記第１の部分データ無線ベアラＤＲＢのデータ複製機能に基づいて、第１の制御情報を生成するように構成され、
前記第１の部分データ無線ベアラと前記第２の部分データ無線ベアラとは、少なくとも一部が異なる
ことを特徴とするマスタノード。
【請求項８２】
前記第２の処理ユニットは、ＤＲＢの識別情報とビットマップのデータビットとの対応関係を取得し、
ビットマップにおいて前記第１の部分ＤＲＢの識別情報に対応するデータビットを設定して、前記第１の制御情報を生成するように構成される
ことを特徴とする請求項８１に記載のマスタノード。
【請求項８３】
前記第２の処理ユニットは、目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定するように構成される
ことを特徴とする請求項８１に記載のマスタノード。
【請求項８４】
前記第２の処理ユニットは、目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定するように構成される
ことを特徴とする請求項８１に記載のマスタノード。
【請求項８５】
前記第２の処理ユニットは、目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定するように構成される
ことを特徴とする請求項８１に記載のマスタノード。
【請求項８６】
第３の通信ユニットと、第３の処理ユニットとを備えるスレーブノードであって、
前記第３の通信ユニットは、マスタノードとネゴシエーションし、目標ＵＥの少なくとも１つのデータ無線ベアラのデータ複製伝送機能をオン又はオフすると決定し、第２の制御情報を前記目標ＵＥに送信するように構成され、
第３の処理ユニットは、前記ネゴシエーション結果に基づいて、前記マスタノードが前記目標ＵＥが前記少なくとも１つのデータ無線ベアラ内の第１の部分データ無線ベアラＤＲＢのデータ複製機能をオンまたはオフするように制御し、前記スレーブノードが前記目標ＵＥが前記少なくとも１つのＤＲＢ内の第２の部分データ無線ベアラのデータ複製機能をオンまたはオフするように制御すると決定し、オン又はオフと決定された前記第２の部分ＤＲＢのデータ複製機能に基づいて、第２の制御情報を生成するように構成され、
前記第１の部分ＤＲＢと前記第２の部分ＤＲＢとは、少なくとも一部が異なる
ことを特徴とするスレーブノード。
【請求項８７】
前記第３の処理ユニットは、ＤＲＢの識別情報とビットマップのデータビットとの対応関係を取得し、
ビットマップにおいて前記第２の部分ＤＲＢの識別情報に対応するデータビットを設定して、前記第２の制御情報を生成するように構成される
ことを特徴とする請求項８６に記載のスレーブノード。
【請求項８８】
前記第３の処理ユニットは、目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定するように構成される
ことを特徴とする請求項８６に記載のスレーブノード。
【請求項８９】
前記第３の処理ユニットは、目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定するように構成される
ことを特徴とする請求項８６に記載のスレーブノード。
【請求項９０】
前記第３の処理ユニットは、目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定するように構成される
ことを特徴とする請求項８６に記載のスレーブノード。
【請求項９１】
プロセッサと、前記プロセッサ上で実行可能なコンピュータプログラムを記憶するメモリと、を備えるＵＥであって、
前記プロセッサは、前記コンピュータプログラムを実行する際に、請求項１〜２９のいずれか１項に記載の方法のステップを実行するように構成されている
ことを特徴とするＵＥ。
【請求項９２】
プロセッサと、前記プロセッサ上で実行可能なコンピュータプログラムを記憶するメモリと、を備えるノードであって、
前記プロセッサは、前記コンピュータプログラムを実行する際に、請求項３０〜４４のいずれか１項に記載の方法のステップを実行するように構成されている
ことを特徴とするノード。
【請求項９３】
請求項１〜４４のいずれか１項に記載の方法ステップを実行するコンピュータ実行可能命令を記憶した
ことを特徴とするコンピュータ記憶媒体。
【発明の詳細な説明】
【技術分野】
【０００１】
本発明は、通信処理技術分野に関し、特に、データ複製伝送の制御方法、ユーザーデバイス（ＵＥ）、ノード及びコンピュータ記憶媒体に関する。
【背景技術】
【０００２】
ＮＲの既存の議論では、複製データ伝送機能を構成する無線ベアラについて、あるベアラの複製データ伝送機能をＭＡＣ ＣＥによって動的に活性化又は非活性化することができる。デュアルコネクティビティ( ＤＣ )の場合、ＭＣＧ及びＳＣＧは、それぞれ、ＵＥのあるｓｐｌｉｔ ｂｅａｒｅｒの複製データ機能を活性化又は非活性化するために、ＭＡＣ ＣＥを送信することができる。
【０００３】
しかし、ＤＣシーンでは、ＭＣＧのマスタノードとＳＣＧのスレーブノードがそれぞれ制御情報を送信することができるため、ＵＥの処理効率を確保するために、ＵＥ側は、具体的に、どの制御情報がどのＤＲＢを制御するために使用されるかを認識する必要がある。
【発明の概要】
【０００４】
本発明の実施例は、上記のような課題を解決するために、データ複製伝送の制御方法、ユーザーデバイス( ＵＥ )、ノード及びコンピュータ記憶媒体を提供する。
【０００５】
本発明の実施例は、データ複製伝送の制御方法を提供し、ユーザーデバイスに応用され、
マスタノードからの第１の制御情報、及び／又は、スレーブノードからの第２の制御情報を受信することと、
前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することとを含む。
【０００６】
本発明の実施例は、データ複製伝送の制御方法を提供し、ネットワークノードに応用され、
予め設定された条件に基づいて、マスタノードが第１の制御情報を送信し、及び／又は、スレーブノードが第２の制御情報を送信すると決定することと、
前記第１の制御情報に対応する第１の部分データ無線ベアラＤＲＢの指示、及び／又は、前記第２の制御情報に対応する第２の部分ＤＲＢの指示に基づいて、端末が少なくとも１つのＤＲＢのデータ複製伝送機能をオン又はオフすると決定することとを含む。
【０００７】
本発明の実施例は、データ複製伝送の制御方法を提供し、マスタノードに応用され、
スレーブノードとネゴシエーションし、目標ＵＥの少なくとも１つのデータ無線ベアラのデータ複製伝送機能をオン又はオフすると決定することと、
前記ネゴシエーション結果に基づいて、前記マスタノードが前記目標ＵＥが前記少なくとも１つのデータ無線ベアラ内の第１の部分データ無線ベアラのデータ複製機能をオン又はオフするように制御し、前記スレーブノードが前記目標ＵＥが前記少なくとも１つのデータ無線ベアラ内の第２の部分データ無線ベアラのデータ複製機能をオン又はオフするように制御すると決定することと、
オン又はオフと決定された前記第１の部分データ無線ベアラＤＲＢのデータ複製機能に基づいて、第１の制御情報を生成し、前記第１の制御情報を前記目標ＵＥに送信することとを含み、
ここで、前記第１の部分データ無線ベアラと前記第２の部分データ無線ベアラとは、少なくとも一部が異なる。
【０００８】
本発明の実施例は、データ複製伝送の制御方法を提供し、スレーブノードに応用され、
マスタノードとネゴシエーションし、目標ＵＥの少なくとも１つのデータ無線ベアラのデータ複製伝送機能をオン又はオフすると決定することと、
前記ネゴシエーション結果に基づいて、前記マスタノードが前記目標ＵＥが前記少なくとも１つのデータ無線ベアラ内の第１の部分データ無線ベアラＤＲＢのデータ複製機能をオン又はオフするように制御し、前記スレーブノードが前記目標ＵＥが前記少なくとも１つのＤＲＢ内の第２の部分データ無線ベアラのデータ複製機能をオンするように制御すると決定することと、
オン又はオフと決定された前記第２の部分ＤＲＢのデータ複製機能に基づいて、第２の制御情報を生成し、前記第２の制御情報を前記目標ＵＥに送信することとを含み、
ここで、前記第１の部分ＤＲＢと前記第２の部分ＤＲＢとは、少なくとも一部が異なる。
【０００９】
本発明の実施例は、第１の通信ユニットと、第１の処理ユニットとを備えるＵＥを提供し、
第１の通信ユニットは、マスタノードからの第１の制御情報、及び／又は、スレーブノードからの第２の制御情報を受信するように構成され、
第１の処理ユニットは、前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定するように構成される。
【００１０】
本発明の実施例は、第４の通信ユニットと、第４の処理ユニットと、を備えるネットワークノードを提供し、
第４の通信ユニットは、予め設定された条件に基づいて、マスタノードが第１の制御情報を送信し、及び／又は、スレーブノードが第２の制御情報を送信すると決定するように構成され、
第４の処理ユニットは、前記第１の制御情報に対応する第１の部分データ無線ベアラＤＲＢの指示、及び／又は、前記第２の制御情報に対応する第２の部分ＤＲＢの指示に基づいて、端末が少なくとも１つのＤＲＢのデータ複製伝送機能をオン又はオフすると決定するように構成される。
【００１１】
本発明の実施例は、第２の通信ユニットと、第２の処理ユニットとを備えるマスタノードを提供し、
第２の通信ユニットは、スレーブノードとネゴシエーションし、目標ＵＥの少なくとも１つのデータ無線ベアラのデータ複製伝送機能をオン又はオフすると決定し、前記第１の制御情報を前記目標ＵＥに送信するように構成され、
第２の処理ユニットは、前記ネゴシエーション結果に基づいて、前記マスタノードが前記目標ＵＥが前記少なくとも１つのデータ無線ベアラ内の第１の部分データ無線ベアラのデータ複製機能をオン又はオフするように制御し、前記スレーブノードが前記目標ＵＥが前記少なくとも１つのデータ無線ベアラ内の第２の部分データ無線ベアラのデータ複製機能をオン又はオフするように制御すると決定し、オンまたはオフが決定された前記第１の部分データ無線ベアラＤＲＢのデータ複製機能に基づいて、第１の制御情報を生成するように構成され、
ここで、前記第１の部分データ無線ベアラと前記第２の部分データ無線ベアラとは、少なくとも一部が異なる。
【００１２】
本発明の実施例は、第３の通信ユニットと、第３の処理ユニットとを備えるスレーブノードを提供し、
第３の通信ユニットは、マスタノードとネゴシエーションし、目標ＵＥの少なくとも１つのデータ無線ベアラのデータ複製伝送機能をオン又はオフすると決定し、第２の制御情報を前記目標ＵＥに送信するように構成され、
第３の処理ユニットは、前記ネゴシエーション結果に基づいて、前記マスタノードが前記目標ＵＥが前記少なくとも１つのデータ無線ベアラ内の第１の部分データ無線ベアラＤＲＢのデータ複製機能をオン又はオフするように制御し、前記スレーブノードが前記目標ＵＥが前記少なくとも１つのＤＲＢ内の第２の部分データ無線ベアラのデータ複製機能をオンするように制御すると決定し、オンまたはオフと決定された前記第２の部分ＤＲＢのデータ複製機能に基づいて、第２の制御情報を生成するように構成され、
ここで、前記第１の部分ＤＲＢと前記第２の部分ＤＲＢとは、少なくとも一部が異なる。
【００１３】
本発明の実施例は、ＵＥを提供し、プロセッサと、前記プロセッサで実行可能なコンピュータプログラムを記憶するメモリとを有し、
ここで、前記プロセッサは、前記コンピュータプログラムを実行することによって、前述の方法のステップを実行する。
【００１４】
本発明の実施例は、マスタノードを提供し、プロセッサと、前記プロセッサで実行可能なコンピュータプログラムを記憶するメモリとを有し、
ここで、前記プロセッサは、前記コンピュータプログラムを実行することによって、前述の方法のステップを実行する。
【００１５】
本発明の実施例は、スレーブノードを提供し、プロセッサと、前記プロセッサで実行可能なコンピュータプログラムを記憶するメモリとを有し、
ここで、前記プロセッサは、前記コンピュータプログラムを実行することによって、前述の方法のステップを実行する。
【００１６】
本発明の実施例は、実行されると、前述の方法ステップを実現するコンピュータ実行可能命令を記憶したコンピュータ記憶媒体を提供する。
【００１７】
本発明の実施例の技術案は、ＵＥ側に、マスタノード及び/又はスレーブノードからの第１の制御情報及び/又は第２の制御情報に基づいて、自身の少なくとも１つのＤＲＢのデータ伝送複製機能をオン又はオフするか否かを決定させることを可能にする。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【図面の簡単な説明】
【００１８】
【図１】本発明の実施例におけるデータ複製伝送の制御方法のフローチャート１である。
【図２】本発明の実施例におけるデータ複製伝送の制御方法のフローチャート２である。
【図３】本発明の実施例におけるデータ複製伝送の制御方法のフローチャート３である。
【図４】本発明の実施例におけるユーザーデバイスの構成図である。
【図５】本発明の実施例におけるプロトコル層アーキテクチャの模式図である。
【図６】本発明の実施例におけるマスタノードの構成図である。
【図７】本発明の実施例におけるスレーブノードの構成図である。
【図８】本発明の実施例におけるデータ複製伝送の制御方法のフローチャート４である。
【図９】本発明の実施例におけるネットワークノードの構成図である。
【図１０】本発明の実施例におけるハードウェアアーキテクチャの模式図である。
【発明を実施するための形態】
【００１９】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００２０】
実施例一
本発明の実施例は、データ複製伝送の制御方法を提供し、ユーザーデバイスＵＥに応用され、図１に示すように、以下のステップを含み、
ステップ１０１において、マスタノードからの第１の制御情報、及び／又は、スレーブノードからの第２の制御情報を受信し、
ステップ１０２において、前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定する。
【００２１】
ここで、前記マスタノードがプライマリセルグループ（ＭＣＧ）内のノードであっても良く、スレーブノードがセカンダリセルグループ（ＳＣＧ）内のノードであっても良い。
【００２２】
ステップ１０１において、前記マスタノードからの第１の制御情報、及び／又は、スレーブノードからの第２の制御情報を受信することは、
前記マスタノードからのビットマップ（ｂｉｔｍａｐ）フォーマットの第１の制御情報、及び／又は、前記スレーブノードからのビットマップフォーマットの第２の制御情報を受信することを含む。
【００２３】
マスタノードまたはスレーブノードの制御情報の受信は、同時に受信しても別々に受信してもよく、ここでは第１制御情報および第２制御情報を受信する順序を限定しない。
【００２４】
ネットワーク側のＭＣＧのマスタノードとＳＣＧのスレーブノードとは、Ｘｎインタフェースを介して協働し、ＵＥのあるＤＲＢ複製データ機能をオン又はオフするように制御するネットワークノードを決定する。
【００２５】
さらに、前記ビットマップフォーマットの第１の制御情報、及びＤＲＢの識別情報の間の対応関係に基づいて、前記第１の制御情報が示す第１の部分ＤＲＢを決定する。及び／又は、前記ビットマップフォーマットの第２の制御情報、及びＤＲＢの識別情報の間の対応関係に基づいて、前記第２の制御情報が示す第２の部分ＤＲＢを決定する。
【００２６】
例えば、ｂｉｔｍａｐフォーマットの第１の制御情報に８ｂｉｔが含まれている場合、各ｂｉｔが１つのＤＲＢの識別情報に対応し、ｂｉｔ１〜３はそれぞれＤＲＢ１、４、７に対応し、その後残りのｂｉｔe４〜８は無効ｂｉｔであるとする。この場合、biｍａｐにより第１の制御情報がどのＤＲＢのオンまたはオフを示しているかを判断することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【００２７】
また、第２の制御情報のｂｉｔｍａｐ中のｂｉｔ１〜３はそれぞれＤＲＢのフラグ１、３、７に対応し、残りのｂｉｔは無効ビットとすることができる。なお、ｂｉｔの意味については、前述の設定と同様であるので、説明を省略する。
【００２８】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【００２９】
上記ステップ１０２において、前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定する。動作の場合、３つの要因が考えられる。
【００３０】
第１の要因
前記第１の制御情報に対応する第１の部分ＤＲＢには、プライマリセルベアラとする第１のＤＲＢが含まれる場合、前記第１の制御情報の指示に基づいて記第１のＤＲＢのデータ複製伝送機能をオン又はオフすると決定する。及び／又は、前記第２の制御情報に対応する第２の部分ＤＲＢには、セカンダリセルベアラとする第２のＤＲＢが含まれる場合、前記第２の制御情報の指示に基づいて前記第２のＤＲＢのデータ複製伝送機能をオン又はオフすると決定する。
【００３１】
なお、前記第１のＤＲＢが第２の部分ＤＲＢに含まれない。また、前記第２のＤＲＢが第１の部分ＤＲＢに含まれない。
【００３２】
すなわち、Ｎｏｎ ｓｐｌｉｔ ｂｅａｒｅｒｓ、すなわち、非オフロードベアラ(たとえば、ＭＣＧ ｂｅａｒｅｒ (第１のＤＲＢ ) ａｎｄ ＳＣＧ ｂｅａｒｅｒ (第２のＤＲＢ ) )は、相対端によって制御されなく、例えば、ＭＣＧ ＭＡＣ ＣＥがＭＣＧ ｂｅａｒｅｒを制御し、ＳＣＧ ＭＡＣ ＣＥがＣＧ ｂｅａｒｅｒを制御する。
【００３３】
なお、この実施例では、第１のＤＲＢおよび第２のＤＲＢの数は限定されず、実際には、第１のＤＲＢおよび第２のＤＲＢは、それぞれ１個以上存在してもよく、その数は異なっていてもよい。
【００３４】
第２の要因
前記第１の制御情報に対応する第１の部分ＤＲＢには、オフロードベアラとする第３のＤＲＢが含まれ、及び／又は、前記第２の制御情報に対応する第２の部分ＤＲＢには、オフロードベアラとする第３のＤＲＢが含まれる場合、
予め設定された条件に基づいて、前記第３のＤＲＢのデータ複製伝送機能をオン又はオフすると決定する。
【００３５】
ここで、オフロードベアラ即ち第３のＤＲＢがＳｐｌｉｔ ｂｅａｒｅｒであっても良く、該第３のＤＲＢがＭＣＧ又はＳＣＧにより制御されても良い。
【００３６】
具体的に、予め設定された条件は、以下の条件のうちの少なくとも１つを含み
条件１として、前記第３のＤＲＢのＰＤＣＰの位置するグループに基づいて、前記グループに対応するノードからの制御情報に応じて前記第３のＤＲＢのデータ複製伝送機能のオン又はオフを制御すると決定する。
【００３７】
ここで、第３のＤＲＢがどのＰＤＣＰのグループに存在するかを決定することは、第３のＤＲＢの鍵値に基づいて決定されてもよく、つまり、第３のＤＲＢに対応する鍵値を取得し、前記第３のＤＲＢに対応する鍵値に基づいて前記第３のＳＲＢのＰＤＣＰの位置するグループを決定する。
【００３８】
例えば、１つのｓｐｌｉｔ ｂｅａｒｅｒのＰＤＣＰがＭＣＧに位置する場合、ＭＣＧ ＭＡＣ ＣＥが該ｓｐｌｉｔ ｂｅａｒｅｒを制御する。ＵＥは、ｓｐｌｉｔ ｂｅａｒｅｒのＰＤＣＰがＭＣＧにあるかＳＣＧにあるかを、ｓｐｌｉｔ ｂｅａｒｅｒの鍵値( Ｋｅｙ )によって区別することができる。ここで、異なるグループが異なる鍵値に対応しても良く、その設定はネットワーク側とＵＥ側との間で予めネゴシエーションして決定しても良く、例えば、デュアルコネクティビティ(ＤＣ)において、１つのｓｐｌｉｔ ｂｅａｒｅｒに対して、そのｋｅｙ値がＫｅＮＢ又はＳ−ＫｇＮＢであっても良く、これら２つのｋｅｙ値を識別することによりＵＥがＰＤＣＰがＭＣＧ又はＳＣＧに位置することを識別することができ、具体的に、ＫｅＮＢはＭＣＧに対応するＫｅｙであり、Ｓ−ＫｇＮＢはＳＣＧに対応するＫｅｙである。
【００３９】
条件２として、前記第３のＤＲＢに対応するデフォルト伝送経路に基づいて、前記デフォルト伝送経路の以外の制御ノードに対応する制御情報に応じて前記第３のＤＲＢのデータ複製伝送機能のオン又はオフを制御すると決定する。
【００４０】
ここで、前記デフォルト伝送経路は、複製データ伝送機能が非アクティブ状態の場合に利用される経路である。
【００４１】
例えば、１つのｓｐｌｉｔ ｂｅａｒｅｒ (即ち、第３のＤＲＢ )のｎｏｎ ｄｅｆａｕｌｔ ｌｅｇ、ｄｅｆａｕｌｔ ｌｅｇは、ｄｕｐｌｉｃａｔｉｏｎ ｄｅａｃｔｉｖａｔｅｄ以降のデフォルト伝送のｐａｔｈを指す。ｄｕｐｌｉｃａｔｉｏｎはｎｏｎ ｄｅｆａｕｌｔ ｌｅｇ対応のノードで制御することができる。
【００４２】
条件３として、前記第３のＤＲＢのＰＤＣＰバージョンに基づいて、前記ＰＤＣＰバージョンに対応するノードからの制御情報に応じて前記第３のＤＲＢのデータ複製伝送機能のオン又はオフを制御すると決定する。
【００４３】
ここで、前記第３のＤＲＢのＰＤＣＰバージョンは、ＬＴＥ ＰＤＣＰのバージョン、又はＮＲ ＰＤＣＰバージョンである。
【００４４】
Ｓｐｌｉｔ ｂｅａｒｅｒのＰＤＣＰのｖｅｒｓｉｏｎ (バージョン)によって決定され、例えば、ＬＴＥ側のＭＡＣは、ＰＤＣＰがＬＴＥ ＰＤＣＰであるｓｐｌｉｔ ｂｅａｒｅｒにのみ制御でき、ＮＲ側のＭＡＣは、ＰＤＣＰがＮＲ ＰＤＣＰであるｓｐｌｉｔ ｂｅａｒｅｒにのみ制御できる。
【００４５】
なお、上記第１の要因、第２の要因、および第２の要因のうち３つの条件は、組み合わせて判断することができる。この実施例では、組合せを網羅するものではなく、様々な組合せがこの実施例の範囲内である。
【００４６】
以下、例を上げ実施例における技術案を説明する。
【００４７】
ＤＲＢとＭＡＣ ＣＥ ｂｉｔｍａｐとの対応は、ＤＲＢ ＩＤの昇順または降順で行い、
例えば、ＵＥのＤＲＢ ＩＤ １、３、４、７は、ＰＤＣＰ複製データ伝送機能をそれぞれ有し、ここで、ＤＲＢ ＩＤ １がＭＣＧ ｂｅａｒｅｒ、ＤＲＢ ＩＤ ３がＳＣＧ ｂｅａｒｅｒ、ＤＲＢ ＩＤ ４及び７がｓｐｌｉｔ ｂｅａｒｅｒであり、
ネットワーク側ＭＣＧおよびＳＣＧは、ＤＲＢ ＩＤ１、４、７がそれぞれＭＮが送信するＭＡＣ ＣＥのｂｉｔｍａｐの１、２、３ビットに対応し、残りの４、５、６、７、８ビットが無効ビットであることを、協調的に決定することができ、
ＤＲＢ ＩＤ３、４、７はそれぞれＳＮが送信するＭＡＣ ＣＥのｂｉｔｍａｐの１、２、３ビットに対応し、残りの４、５、６、７、８ビットは無効ビットであると決定する。
【００４８】
これに対応し、ＵＥのＭＡＣ層は、少なくとも１つのＤＲＢの複製データ伝送機能をオンまたはオフするために、ネットワーク( ＭＣＧ内のマスタノードまたはＳＣＧ内のスレーブノード)によって送信された第１の制御情報および/または第２の制御情報を受信する。
【００４９】
ＵＥのＭＡＣ層は、受信された複製データ制御ＭＡＣ ＣＥにおけるｂｉｔｍａｐに対応するｂｉｔを、対応するＤＲＢのＰＤＣＰ層に示し( ｉｎｄｉｃａｔｅ ｔｏ )、
ＵＥのＭＡＣ層は、ｂｉｔｍａｐとＤＲＢ ＩＤとの対応関係から、ＤＲＢ ＩＤのｂｉｔｍａｐ中の対応ｂｉｔを見つけ、例えば、ＵＥのＤＲＢ ＩＤは１、４、７であり、それぞれＭＮ ＭＡＣ ＣＥのｂｉｔｍａｐ中の１、２、３ビットに対応する。ＭＡＣ ＣＥはＭＡＣ ＣＥのｂｉｔｍａｐを受信した後、ＤＲＢ ＩＤが１のＰＤＣＰに第１ビットの値を指示し、ＤＲＢ ＩＤが３のＰＤＣＰに第２ビットの値を指示し、以下の同様である。
【００５０】
以上のように、本実施の形態では、制御情報を受信した後、ＤＲＢと制御情報との関係から、ＤＲＢがどの制御情報に対応するかを判断し、例えば、１つのＤＲＢが第１の制御情報と第２の制御情報とを受信した後、どの制御情報を用いて後の処理を行うかを決定する。
【００５１】
また、この実施例は、予め定められた規則に従って、どのＤＲＢがどの制御情報を取得するかを決定する処理方法を提供することもでき、すなわち、この処理方式では、ネットワーク側は、１つのＤＲＢに対して１つの制御情報しか送られない場合があり、具体的な処理方式は以下の通りである。
【００５２】
ＵＥの少なくとも１つのＤＲＢがそれぞれどの制御情報に対応するかについて説明し、予め設定された規則に基づいて、前記少なくとも１つのＤＲＢの各ＤＲＢが第１の制御情報又は第２の制御情報に対応すると決定する。
【００５３】
具体的には、異なるＤＲＢの識別情報が、第１の制御情報、または第２の制御情報のいずれのビットに対応するかが理解できる。
【００５４】
ここで、前記予め設定された規則は、
ＤＲＢがプライマリセルベアラである場合、前記ＤＲＢが前記第１の制御情報に対応する第１の部分ＤＲＢに含まれること、
ＤＲＢがセカンダリセルベアラである場合、前記ＤＲＢが前記第２の制御情報に対応する第２の部分ＤＲＢに含まれることのうちの少なくとも１つを含む。
【００５５】
つまり、あるＤＲＢがプライマリセルベアラである場合、そのＤＲＢの識別情報は、第１の制御情報における第１のｂｉｔに対応し、また、あるＤＲＢがセカンダリセルにベアラされている場合、そのＤＲＢの識別情報は、第２の制御情報における第２のｂｉｔに対応する。ここで、第１のｂｉｔ及び第２のｂｉｔは、制御情報における具体的なｂｉｔを表すものではなく、第１のｂｉｔが第２のｂｉｔの位置と異なることを示し、実際には、第１のｂｉｔは第１の制御情報におけるｂｉｔ３であり、第２のｂｉｔは第２の制御情報におけるｂｉｔ１であってもよい。
【００５６】
さらに、前記ＤＲＢがプライマリセルベアラである場合、第２の制御情報に対応しなく、第２の部分ＤＲＢに含まれなく、前記ＤＲＢがセカンダリセルベアラである場合、第１の制御情報に対応しなく、第１の部分ＤＲＢに含まれない。
【００５７】
前記ＤＲＢは、プライマリセルベアラである場合、第２の部分ＤＲＢに含まれなく、前記ＤＲＢは、セカンダリセルベアラである場合、第１の部分ＤＲＢに含まれない。
【００５８】
前記予め設定された規則は、さらに、
ＤＲＢのＰＤＣＰバージョンが第１のバージョンである場合、前記ＤＲＢが前記第１の制御情報に対応する第１の部分ＤＲＢに含まれること、
ＤＲＢのＰＤＣＰバージョンが第２のバージョンである場合、前記ＤＲＢが前記第２の制御情報に対応する第２の部分ＤＲＢに含まれることのうちの少なくとも１つを含む。
【００５９】
ここで、前記第１のバージョンと第２のバージョンとは異なり、前記第１のバージョンと第２のバージョンとは、それぞれＬＴＥ ＰＤＣＰバージョン及びＮＲ ＰＤＣＰバージョンである。つまり、第１のバージョンがＬＴＥ ＰＤＣＰである場合、第２のバージョンがＮＲ ＰＤＣＰであり、又は、第１のバージョンがＮＲ ＰＤＣＰである場合、第２のバージョンがＬＴＥ ＰＤＣＰである。
【００６０】
さらに、なお、ＤＲＢのＰＤＣＰバージョンが第２のバージョンである場合、前記ＤＲＢが前記第１の部分ＤＲＢに含まれなく、ＤＲＢのＰＤＣＰバージョンが第１のバージョンである場合、前記ＤＲＢが前記第２の部分ＤＲＢに含まれない。
【００６１】
前記予め設定された規則は、さらに、
ＤＲＢのＰＤＣＰがプライマリセルグループ鍵を使用する場合、前記ＤＲＢが前記第１の制御情報に対応する第１の部分ＤＲＢに含まれること、
ＤＲＢのＰＤＣＰがセカンダリセルグループ鍵を使用する場合、前記ＤＲＢが前記第２の制御情報に対応する第２の部分ＤＲＢに含まれることのうちの少なくとも１つを含む。
【００６２】
ここで、ＤＲＢのＰＤＣＰがプライマリセルグループ鍵を使用する場合、前記ＤＲＢが前記第２の制御情報に対応する第２の部分ＤＲＢに含まれなく、ＤＲＢのＰＤＣＰがセカンダリセルグループ鍵を使用する場合、前記ＤＲＢが前記第１の制御情報に対応する第１の部分ＤＲＢに含まれない。
【００６３】
前記予め設定された規則は、さらに、
ＤＲＢがオフロードベアラである場合、前記ＤＲＢのＰＤＣＰの位置するグループに基づいて、ＰＤＣＰの位置するグループに対応するノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、前記ＤＲＢに対応するデフォルト伝送経路に基づいて、前記デフォルト伝送経路の以外のノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、前記ＤＲＢに対応するデフォルト伝送経路に基づいて、前記デフォルト伝送経路のノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、前記ＤＲＢ的ＰＤＣＰバージョンに基づいて、前記ＰＤＣＰバージョンに対応するノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、ノードのエアインターフェースタイプに基づいて、特定のエアインターフェースタイプのノードからの制御情報に応じて前記ＤＲＢを制御すると決定することのうちの少なくとも１つを含む。ここで、前記ノードのエアインターフェースタイプは、ＬＴＥのノード、又は、ＮＲのノードであっても良い。それに対応し、特定のエアインターフェースタイプのノードにつて、ＬＴＥのノードを特定のエアインターフェースタイプのノードとして予め設定し、又は、ＮＲのノードを特定のエアインターフェースタイプのノードとして設定する。この規則を設定することにより、２つのノードから制御情報が送られてきた場合に、どちらのノードの制御情報を基準に以降の処理が行われるかをユーザー装置に知らせることができる。
【００６４】
ＤＲＢがオフロードベアラである場合、前記ＤＲＢのＰＤＣＰの位置するグループに基づいて、ＤＲＢの位置しないグループに対応するノードからの制御情報が前記ＤＲＢを制御することができないと決定する。
【００６５】
ＤＲＢがオフロードベアラである場合、前記ＤＲＢに対応するデフォルト伝送経路に基づいて、前記デフォルト伝送経路のノードからの制御情報が前記ＤＲＢを制御することができないと決定する。
【００６６】
ＤＲＢがオフロードベアラである場合、前記ＤＲＢのＰＤＣＰバージョンに基づいて、前記ＰＤＣＰバージョンに対応しないノードからの制御情報が前記ＤＲＢを制御することができないと決定する。
【００６７】
以上のように、上記の技術案を採用することにより、ＵＥ側では、マスタノードおよび/またはスレーブノードから送信されてくる第１の制御情報および/または第２の制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【００６８】
実施例二
本発明の実施例は、データ複製伝送の制御方法を提供し、マスタノードに応用され、図２に示すように、以下のステップを含み
ステップ２０１において、スレーブノードとネゴシエーションし、目標ＵＥの少なくとも１つのデータ無線ベアラのデータ複製伝送機能をオン又はオフすると決定し、
ステップ２０２において、前記ネゴシエーション結果に基づいて、前記マスタノードが前記目標ＵＥが前記少なくとも１つのデータ無線ベアラ内の第１の部分データ無線ベアラのデータ複製機能をオン又はオフするように制御し、前記スレーブノードが前記目標ＵＥが前記少なくとも１つのデータ無線ベアラ内の第２の部分データ無線ベアラのデータ複製機能をオン又はオフするように制御すると決定し、ここで、前記第１の部分データ無線ベアラと前記第２の部分データ無線ベアラとは、少なくとも一部が異なり、
ステップ２０３において、オン又はオフと決定された前記第１の部分データ無線ベアラＤＲＢのデータ複製機能に基づいて、第１の制御情報を生成し、前記第１の制御情報を前記目標ＵＥに送信する。
【００６９】
ここで、前記マスタノードがプライマリセルグループ（ＭＣＧ）内のノードであっても良く、スレーブノードがセカンダリセルグループ（ＳＣＧ）内のノードであっても良い。
【００７０】
ネットワーク側のＭＣＧのマスタノードとＳＣＧのスレーブノードは、Ｘｎインタフェースを介してネゴシエーション行って、ＵＥを制御する１つ以上のＤＲＢ複製データ機能のオン又はオフを決定しても良い。
【００７１】
さらに、オン又はオフと決定された前記第１の部分ＤＲＢのデータ複製機能に基づいて、第１の制御情報を生成することは、
ＤＲＢの識別情報とビットマップのデータビットとの対応関係を取得することと、
ビットマップにおいて前記第１の部分ＤＲＢの識別情報に対応するデータビットを設定して、前記第１の制御情報を生成することとを含む。
【００７２】
前記ビットマップフォーマットの第１の制御情報、及びＤＲＢの識別情報の間の対応関係に基づいて、前記第１の制御情報が示す第１の部分ＤＲＢを決定する。及び／又は、前記ビットマップフォーマットの第２の制御情報、及びＤＲＢの識別情報の間の対応関係に基づいて、前記第２の制御情報が示す第２の部分ＤＲＢを決定する。
【００７３】
例えば、ｂｉｔｍａｐフォーマットの第１の制御情報に８ｂｉｔが含まれている場合、各ｂｉｔが１つのＤＲＢの識別情報に対応し、ｂｉｔ１〜３はそれぞれＤＲＢ１、４、７に対応し、その後残りのｂｉｔe４〜８は無効ｂｉｔであるとする。この場合、ｂｉｔｍａｐにより第１の制御情報がどのＤＲＢのオンまたはオフを示しているかを判断することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【００７４】
また、第２の制御情報のｂｉｔｍａｐ中のｂｉｔ１〜３はそれぞれＤＲＢのフラグ１、３、７に対応し、残りのｂｉｔは無効ビットとすることができる。なお、ｂｉｔの意味については、前述の設定と同様であるので、説明を省略する。
【００７５】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【００７６】
マスタノードがスレーブノードとネゴシエーションすることは、
目標ＤＲＢがプライマリセルベアラである場合、マスタノードが第１の制御情報によりそれを制御すると決定し、目標ＤＲＢは、ＵＥの複数のＤＲＢのいずれかであり、
目標ＤＲＢがセカンダリセルベアラである場合、スレーブノードが第２の制御情報によりそれを制御すると決定し、目標ＤＲＢは、ＵＥの複数のＤＲＢのいずれかであり、
目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定することを含む。つまり、ＤＲＢのＰＤＣＰ位置するグループに基づいて、該ＤＲＢに対応する制御情報がマスタノードからの第１の制御情報であるか、スレーブノードからの第２の制御情報であるかを決定する。
【００７７】
目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定する。つまり、ＤＲＢに対応するデフォルト伝送経路に基づいて、該ＤＲＢに対応する制御情報がマスタノードからの第１の制御情報であるか、スレーブノードからの第２の制御情報であるかを決定する。
【００７８】
目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定する。つまり、ＤＲＢのＰＤＣＰバージョンに基づいて、該ＤＲＢに対応する制御情報がマスタノードからの第１の制御情報であるか、スレーブノードからの第２の制御情報であるかを決定する。
【００７９】
以下、例を上げ実施例における技術案を説明する。
【００８０】
ＤＲＢとＭＡＣ ＣＥ ｂｉｔｍａｐとの対応は、ＤＲＢ ＩＤの昇順または降順で行い、
例えば、ＵＥのＤＲＢ ＩＤ １、３、４、７は、ＰＤＣＰ複製データ伝送機能をそれぞれ有し、ここで、ＤＲＢ ＩＤ １がＭＣＧ ｂｅａｒｅｒ、ＤＲＢ ＩＤ ３がＳＣＧ ｂｅａｒｅｒ、ＤＲＢ ＩＤ ４及び７がｓｐｌｉｔ ｂｅａｒｅｒであり、
ネットワーク側ＭＣＧおよびＳＣＧは、ＤＲＢ ＩＤ１、４、７がそれぞれＭＮが送信するＭＡＣ ＣＥのｂｉｔｍａｐの１、２、３ビットに対応し、残りの４、５、６、７、８ビットが無効ビットであることを、協調的に決定することができ、
ＤＲＢ ＩＤ３、４、７はそれぞれＳＮが送信するＭＡＣ ＣＥのｂｉｔｍａｐの１、２、３ビットに対応し、残りの４、５、６、７、８ビットは無効ビットであると決定する。
【００８１】
以上のように、上記の技術案を採用することにより、ＵＥ側では、マスタノードおよび/またはスレーブノードから送信されてくる第１の制御情報および/または第２の制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【００８２】
実施例三、
本発明の実施例はデータ複製伝送の制御方法を提供し、スレーブノードに応用され、図３に示すように、以下のステップを含み、
ステップ３０１において、マスタノードとネゴシエーションし、目標ＵＥの少なくとも１つのデータ無線ベアラのデータ複製伝送機能をオン又はオフすると決定し、
ステップ３０２において、前記ネゴシエーション結果に基づいて、前記マスタノードが前記目標ＵＥが前記少なくとも１つのデータ無線ベアラ内の第１の部分データ無線ベアラＤＲＢのデータ複製機能をオン又はオフするように制御し、前記スレーブノードが前記目標ＵＥが前記少なくとも１つのＤＲＢ内の第２の部分データ無線ベアラのデータ複製機能をオン又はオフするように制御すると決定し、ここで、前記第１の部分ＤＲＢと前記第２の部分ＤＲＢとは、少なくとも一部が異なり、
ステップ３０３において、オン又はオフと決定された前記第２の部分ＤＲＢのデータ複製機能に基づいて、第２の制御情報を生成し、前記第２の制御情報を前記目標ＵＥに送信する。
【００８３】
ここで、前記マスタノードがプライマリセルグループ（ＭＣＧ）内のノードであっても良く、スレーブノードがセカンダリセルグループ（ＳＣＧ）内のノードであっても良い。
【００８４】
ネットワーク側のＭＣＧのマスタノードとＳＣＧのスレーブノードは、Ｘｎインタフェースを介してネゴシエーション行って、ＵＥを制御する１つ以上のＤＲＢ複製データ機能のオン又はオフを決定しても良い。
【００８５】
さらに、前記第２の制御情報を生成することは、
ＤＲＢの識別情報とビットマップのデータビットとの対応関係を取得することと、
ビットマップにおいて前記第２の部分ＤＲＢの識別情報に対応するデータビットを設定して、前記第２の制御情報を生成することとを含む。
【００８６】
例えば、ｂｉｔｍａｐフォーマットの第１の制御情報に８ｂｉｔが含まれている場合、各ｂｉｔが１つのＤＲＢの識別情報に対応し、ｂｉｔ１〜３はそれぞれＤＲＢ１、４、７に対応し、その後残りのｂｉｔe４〜８は無効ｂｉｔであるとする。この場合、biｍａｐにより第１の制御情報がどのＤＲＢのオンまたはオフを示しているかを判断することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【００８７】
また、第２の制御情報のｂｉｔｍａｐ中のｂｉｔ１〜３はそれぞれＤＲＢのフラグ１、３、７に対応し、残りのｂｉｔは無効ビットとすることができる。なお、ｂｉｔの意味については、前述の設定と同様であるので、説明を省略する。
【００８８】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【００８９】
マスタノードがスレーブノードとネゴシエーションすることは、
目標ＤＲＢがプライマリセルベアラである場合、マスタノードが第１の制御情報によりそれを制御すると決定し、目標ＤＲＢは、ＵＥの複数のＤＲＢのいずれかであり、
目標ＤＲＢがセカンダリセルベアラである場合、スレーブノードが第２の制御情報によりそれを制御すると決定し、目標ＤＲＢは、ＵＥの複数のＤＲＢのいずれかであり、
目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定することを含む。つまり、ＤＲＢのＰＤＣＰ位置するグループに基づいて、該ＤＲＢに対応する制御情報がマスタノードからの第１の制御情報であるか、スレーブノードからの第２の制御情報であるかを決定する。
【００９０】
目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定する。つまり、ＤＲＢに対応するデフォルト伝送経路に基づいて、該ＤＲＢに対応する制御情報がマスタノードからの第１の制御情報であるか、スレーブノードからの第２の制御情報であるかを決定する。
【００９１】
目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定する。つまり、ＤＲＢのＰＤＣＰバージョンに基づいて、該ＤＲＢに対応する制御情報がマスタノードからの第１の制御情報であるか、スレーブノードからの第２の制御情報であるかを決定する。
【００９２】
以下、例を上げ実施例における技術案を説明する。
【００９３】
ＤＲＢとＭＡＣ ＣＥ ｂｉｔｍａｐとの対応は、ＤＲＢ ＩＤの昇順または降順で行い、
例えば、ＵＥのＤＲＢ ＩＤ １、３、４、７は、ＰＤＣＰ複製データ伝送機能をそれぞれ有し、ここで、ＤＲＢ ＩＤ １がＭＣＧ ｂｅａｒｅｒ、ＤＲＢ ＩＤ ３がＳＣＧ ｂｅａｒｅｒ、ＤＲＢ ＩＤ ４及び７がｓｐｌｉｔ ｂｅａｒｅｒであり、
ネットワーク側ＭＣＧおよびＳＣＧは、ＤＲＢ ＩＤ１、４、７がそれぞれＭＮが送信するＭＡＣ ＣＥのｂｉｔｍａｐの１、２、３ビットに対応し、残りの４、５、６、７、８ビットが無効ビットであることを、協調的に決定することができ、
ＤＲＢ ＩＤ３、４、７はそれぞれＳＮが送信するＭＡＣ ＣＥのｂｉｔｍａｐの１、２、３ビットに対応し、残りの４、５、６、７、８ビットは無効ビットであると決定する。
【００９４】
以上のように、上記の技術案を採用することにより、ＵＥ側では、マスタノードおよび/またはスレーブノードから送信されてくる第１の制御情報および/または第２の制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【００９５】
実施例四
本発明の実施例は、第１の通信ユニット４１と第１の処理ユニット４２と備えるＵＥを提供し、図４に示すように、
第１の通信ユニット４１は、マスタノードからの第１の制御情報、及び／又は、スレーブノードからの第２の制御情報を受信するように構成され、
第１の処理ユニット４２は、前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定するように構成される。
【００９６】
ここで、前記マスタノードがプライマリセルグループ（ＭＣＧ）内のノードであっても良く、スレーブノードがセカンダリセルグループ（ＳＣＧ）内のノードであっても良い。
【００９７】
前記第１の通信ユニット４１は、前記マスタノードからのビットマップ（ｂｉｔｍａｐ）フォーマットの第１の制御情報、及び／又は、前記スレーブノードからのビットマップフォーマットの第２の制御情報を受信するように構成される。
【００９８】
マスタノードまたはスレーブノードの制御情報の受信は、同時に受信しても別々に受信してもよく、ここでは第１制御情報および第２制御情報を受信する順序を限定しない。
【００９９】
ネットワーク側のＭＣＧのマスタノードとＳＣＧのスレーブノードとは、Ｘｎインタフェースを介して協働し、ＵＥのあるＤＲＢ複製データ機能をオン又はオフするように制御するネットワークノードを決定する。
【０１００】
さらに、前記ビットマップフォーマットの第１の制御情報、及びＤＲＢの識別情報の間の対応関係に基づいて、前記第１の制御情報が示す第１の部分ＤＲＢを決定する。及び／又は、前記ビットマップフォーマットの第２の制御情報、及びＤＲＢの識別情報の間の対応関係に基づいて、前記第２の制御情報が示す第２の部分ＤＲＢを決定する。
【０１０１】
例えば、ｂｉｔｍａｐフォーマットの第１の制御情報に８ｂｉｔが含まれている場合、各ｂｉｔが１つのＤＲＢの識別情報に対応し、ｂｉｔ１〜３はそれぞれＤＲＢ１、４、７に対応し、その後残りのｂｉｔe４〜８は無効ｂｉｔであるとする。この場合、biｍａｐにより第１の制御情報がどのＤＲＢのオンまたはオフを示しているかを判断することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【０１０２】
また、第２の制御情報のｂｉｔｍａｐ中のｂｉｔ１〜３はそれぞれＤＲＢのフラグ１、３、７に対応し、残りのｂｉｔは無効ビットとすることができる。なお、ｂｉｔの意味については、前述の設定と同様であるので、説明を省略する。
【０１０３】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【０１０４】
前記第１の制御情報に対応する第１の部分データ無線ベアラＤＲＢの指示、及び／又は、前記第２の制御情報に対応する第２の部分ＤＲＢの指示に基づいて、少なくとも１つのＤＲＢのデータ複製伝送機能のオン又はオフを決定することとを含む。動作の場合、３つの要因が考えられる。
【０１０５】
第１の要因
第１の処理ユニット４２は、前記第１の制御情報に対応する第１の部分ＤＲＢには、プライマリセルベアラとする第１のＤＲＢが含まれる場合、前記第１の制御情報の指示に基づいて記第１のＤＲＢのデータ複製伝送機能をオン又はオフすると決定するように構成される。及び／又は、前記第２の制御情報に対応する第２の部分ＤＲＢには、セカンダリセルベアラとする第２のＤＲＢが含まれる場合、前記第２の制御情報の指示に基づいて前記第２のＤＲＢのデータ複製伝送機能をオン又はオフすると決定する。なお、前記第１のＤＲＢが第２の部分ＤＲＢに含まれない。また、前記第２のＤＲＢが第１の部分ＤＲＢに含まれない。
【０１０６】
すなわち、Ｎｏｎ ｓｐｌｉｔ ｂｅａｒｅｒｓ、すなわち、非オフロードベアラ(たとえば、ＭＣＧ ｂｅａｒｅｒ (第１のＤＲＢ ) ａｎｄ ＳＣＧ ｂｅａｒｅｒ (第２のＤＲＢ ) )は、相対端によって制御されなく、例えば、ＭＣＧ ＭＡＣ ＣＥがＭＣＧ ｂｅａｒｅｒを制御し、ＳＣＧ ＭＡＣ ＣＥがＣＧ ｂｅａｒｅｒを制御する。
【０１０７】
なお、この実施例では、第１のＤＲＢおよび第２のＤＲＢの数は限定されず、実際には、第１のＤＲＢおよび第２のＤＲＢは、それぞれ１個以上存在してもよく、その数は異なっていてもよい。
【０１０８】
第２の要因
第１の処理ユニット４２は、前記第１の制御情報に対応する第１の部分ＤＲＢには、オフロードベアラとする第３のＤＲＢが含まれ、及び／又は、前記第２の制御情報に対応する第２の部分ＤＲＢには、オフロードベアラとする第３のＤＲＢが含まれる場合、
予め設定された条件に基づいて、前記第３のＤＲＢのデータ複製伝送機能をオン又はオフすると決定するように構成される。
【０１０９】
ここで、オフロードベアラ即ち第３のＤＲＢがＳｐｌｉｔ ｂｅａｒｅｒであっても良く、該第３のＤＲＢがＭＣＧ又はＳＣＧにより制御されても良い。
【０１１０】
具体的に、予め設定された条件は、以下の条件のうちの少なくとも１つを含む。
【０１１１】
条件１として、前記第３のＤＲＢのＰＤＣＰの位置するグループに基づいて、前記グループに対応するノードからの制御情報に応じて前記第３のＤＲＢのデータ複製伝送機能のオン又はオフを制御すると決定する。
【０１１２】
ここで、第３のＤＲＢがどのＰＤＣＰのグループに存在するかを決定することは、第３のＤＲＢの鍵値に基づいて決定されてもよく、つまり、第１の処理ユニット４２は、第３のＤＲＢに対応する鍵値を取得し、前記第３のＤＲＢに対応する鍵値に基づいて前記第３のＳＲＢのＰＤＣＰの位置するグループを決定する。
【０１１３】
例えば、１つのｓｐｌｉｔ ｂｅａｒｅｒのＰＤＣＰがＭＣＧに位置する場合、ＭＣＧ ＭＡＣ ＣＥが該ｓｐｌｉｔ ｂｅａｒｅｒを制御する。ＵＥは、ｓｐｌｉｔ ｂｅａｒｅｒのＰＤＣＰがＭＣＧにあるかＳＣＧにあるかを、ｓｐｌｉｔ ｂｅａｒｅｒの鍵値( Ｋｅｙ )によって区別することができる。ここで、異なるグループが異なる鍵値に対応しても良く、その設定はネットワーク側とＵＥ側との間で予めネゴシエーションして決定しても良く、デュアルコネクティビティ(ＤＣ)において、１つのｓｐｌｉｔ ｂｅａｒｅｒに対して、そのｋｅｙ値がＫｅＮＢ又はＳ−ＫｇＮＢであっても良く、これら２つのｋｅｙ値を識別することによりＵＥがＰＤＣＰがＭＣＧ又はＳＣＧに位置することを識別することができ、具体的に、ＫｅＮＢはＭＣＧに対応するＫｅｙであり、Ｓ−ＫｇＮＢはＳＣＧに対応するＫｅｙである。
【０１１４】
条件２として、前記第３のＤＲＢに対応するデフォルト伝送経路に基づいて、前記デフォルト伝送経路の以外の制御ノードに対応する制御情報に応じて前記第３のＤＲＢのデータ複製伝送機能のオン又はオフを制御すると決定する。
【０１１５】
ここで、前記デフォルト伝送経路は、複製データ伝送機能が非アクティブ状態の場合に利用される経路である。
【０１１６】
例えば、１つのｓｐｌｉｔ ｂｅａｒｅｒ (即ち、第３のＤＲＢ )のｎｏｎ ｄｅｆａｕｌｔ ｌｅｇ、ｄｅｆａｕｌｔ ｌｅｇは、ｄｕｐｌｉｃａｔｉｏｎ ｄｅａｃｔｉｖａｔｅｄ以降のデフォルト伝送のｐａｔｈを指す。ｄｕｐｌｉｃａｔｉｏｎはｎｏｎ ｄｅｆａｕｌｔ ｌｅｇ対応のノードで制御することができる。
【０１１７】
条件３として、前記第３のＤＲＢのＰＤＣＰバージョンに基づいて、前記ＰＤＣＰバージョンに対応するノードからの制御情報に応じて前記第３のＤＲＢのデータ複製伝送機能のオン又はオフを制御すると決定する。
【０１１８】
ここで、前記第３のＤＲＢのＰＤＣＰバージョンは、ＬＴＥ ＰＤＣＰのバージョン、又はＮＲ ＰＤＣＰバージョンである。
【０１１９】
Ｓｐｌｉｔ ｂｅａｒｅｒのＰＤＣＰのｖｅｒｓｉｏｎ (バージョン)によって決定され、例えば、ＬＴＥ側のＭＡＣは、ＰＤＣＰがＬＴＥ ＰＤＣＰであるｓｐｌｉｔ ｂｅａｒｅｒにのみ制御でき、ＮＲ側のＭＡＣは、ＰＤＣＰがＮＲ ＰＤＣＰであるｓｐｌｉｔ ｂｅａｒｅｒにのみ制御できる。
【０１２０】
なお、上記第１の要因、第２の要因、および第２の要因のうち３つの条件は、組み合わせて判断することができる。この実施例では、組合せを網羅するものではなく、様々な組合せがこの実施例の範囲内である。
【０１２１】
以下、図５を参照し、複製データ伝送方式はｓｐｌｉｔ ｂｅａｒｅｒのプロトコルアーキテクチャを採用し、上下のリンクに関し、ＰＤＣＰはあるＣＧ ( ＭＣＧ又はＳＣＧ )に位置し、そのＣＧはａｎｃｈｏｒ ＣＧである。ＰＤＣＰは、ＰＤＣＰ ＰＤＵを同じ２つの部分、例えば、一方はＰＤＣＰ ＰＤＵ、他方はＤｕｐｌｉｃａｔｅｄ ＰＤＣＰ ＰＤＵに複製し、２つのＰＤＣＰは異なるＣＧのＲＬＣ、ＭＡＣを通過し、エアインターフェースを通過し、ＵＥ (下り)または基地局(上り)の対応するＭＡＣ、ＲＬＣ層に到着し、最後に、ＰＤＣＰ層に収束し、ＰＤＣＰ層で２つのＰＤＣＰが同じ複製バージョンであることを監視する場合、一方を破棄し、他方を上位層に送信する。ＰＤＣＰ下に２つのＲＬＣ及びＭＡＣをそれぞれ接続することは、ｓｐｌｉｔ ｂｅａｒｅｒと呼ばれ、ＰＤＣＰがＭＣＧに位置する場合にＭＣＧ Ｓｐｌｉｔ Ｂｅａｒｅｒ、ＰＤＣＰがＳＣＧに位置する場合にＳＣＧ Ｓｐｌｉｔ Ｂｅａｒｅｒである。具体的には、この実施例の技術案は以下の通りである。
【０１２２】
ＤＲＢとＭＡＣ ＣＥ ｂｉｔｍａｐとの対応は、ＤＲＢ ＩＤの昇順または降順で行い、
例えば、ＵＥのＤＲＢ ＩＤ １、３、４、７は、ＰＤＣＰ複製データ伝送機能をそれぞれ有し、ここで、ＤＲＢ ＩＤ １がＭＣＧ ｂｅａｒｅｒ、ＤＲＢ ＩＤ ３がＳＣＧ ｂｅａｒｅｒ、ＤＲＢ ＩＤ ４及び７がｓｐｌｉｔ ｂｅａｒｅｒであり、
ネットワーク側ＭＣＧおよびＳＣＧは、ＤＲＢ ＩＤ１、４、７がそれぞれＭＮが送信するＭＡＣ ＣＥのｂｉｔｍａｐの１、２、３ビットに対応し、残りの４、５、６、７、８ビットが無効ビットであることを、協調的に決定することができ、
ＤＲＢ ＩＤ３、４、７はそれぞれＳＮが送信するＭＡＣ ＣＥのｂｉｔｍａｐの１、２、３ビットに対応し、残りの４、５、６、７、８ビットは無効ビットであると決定する。
【０１２３】
これに対応し、ＵＥのＭＡＣ層は、少なくとも１つのＤＲＢの複製データ伝送機能をオンまたはオフするために、ネットワーク( ＭＣＧ内のマスタノードまたはＳＣＧ内のスレーブノード)によって送信された第１の制御情報および/または第２の制御情報を受信する。
【０１２４】
ＵＥのＭＡＣ層は、受信された複製データ制御ＭＡＣ ＣＥにおけるｂｉｔｍａｐに対応するｂｉｔを、対応するＤＲＢのＰＤＣＰ層に示し( ｉｎｄｉｃａｔｅ ｔｏ )、
ＵＥのＭＡＣ層は、ｂｉｔｍａｐとＤＲＢ ＩＤとの対応関係から、ＤＲＢ ＩＤのｂｉｔｍａｐ中の対応ｂｉｔを見つけ、例えば、ＵＥのＤＲＢ ＩＤは１、４、７であり、それぞれＭＮ ＭＡＣ ＣＥのｂｉｔｍａｐ中の１、２、３ビットに対応する。ＭＡＣ ＣＥはＭＡＣ ＣＥのｂｉｔｍａｐを受信した後、ＤＲＢ ＩＤが１のＰＤＣＰに第１ビットの値を指示し、ＤＲＢ ＩＤが３のＰＤＣＰに第２ビットの値を指示し、以下の同様である。
【０１２５】
以上のように、本実施の形態では、制御情報を受信した後、ＤＲＢと制御情報との関係から、ＤＲＢがどの制御情報に対応するかを判断し、例えば、１つのＤＲＢが第１の制御情報と第２の制御情報とを受信した後、どの制御情報を用いて後の処理を行うかを決定する。
【０１２６】
また、この実施例は、予め定められた規則に従って、どのＤＲＢがどの制御情報を取得するかを決定する処理方法を提供することもでき、すなわち、この処理方式では、ネットワーク側は、１つのＤＲＢに対して１つの制御情報しか送られない場合があり、具体的な処理方式は以下の通りである。
【０１２７】
ＵＥの少なくとも１つのＤＲＢがそれぞれどの制御情報に対応するかについて説明し、予め設定された規則に基づいて、前記少なくとも１つのＤＲＢの各ＤＲＢが第１の制御情報又は第２の制御情報に対応すると決定することを含む。なお、予め設定された規則は、ＵＥ側とノード(マスタノード及びスレーブノード)側の両方が備える予め設定された規則であってもよく、すなわち、ＵＥ側が予め設定された規則に基づいてどのＤＲＢがどの制御情報のｂｉｔに対応しているかを判断し、それに応じて、ノードは予め設定された規則に基づいて、どのｂｉｔにどのＤＲＢの制御情報を置くかを決定してもよい。
【０１２８】
具体的には、異なるＤＲＢの識別情報が、第１の制御情報、または第２の制御情報のいずれのビットに対応するかが理解できる。
【０１２９】
ここで、前記予め設定された規則は、
ＤＲＢがプライマリセルベアラである場合、前記ＤＲＢが前記第１の制御情報に対応する第１の部分ＤＲＢに含まれること、
ＤＲＢがセカンダリセルベアラである場合、前記ＤＲＢが前記第２の制御情報に対応する第２の部分ＤＲＢに含まれることのうちの少なくとも１つを含む。
【０１３０】
つまり、あるＤＲＢがプライマリセルベアラである場合、そのＤＲＢの識別情報は、第１の制御情報における第１のｂｉｔに対応し、また、あるＤＲＢがセカンダリセルにベアラされている場合、そのＤＲＢの識別情報は、第２の制御情報における第２のｂｉｔに対応する。ここで、第１のｂｉｔ及び第２のｂｉｔは、制御情報における具体的なｂｉｔを表すものではなく、第１のｂｉｔが第２のｂｉｔの位置と異なることを示し、実際には、第１のｂｉｔは第１の制御情報におけるｂｉｔ３であり、第２のｂｉｔは第２の制御情報におけるｂｉｔ１であってもよい。
【０１３１】
さらに、前記ＤＲＢがプライマリセルベアラである場合、第２の制御情報に対応しなく、第２の部分ＤＲＢに含まれなく、前記ＤＲＢがセカンダリセルベアラである場合、第１の制御情報に対応しなく、第１の部分ＤＲＢに含まれない。
【０１３２】
前記ＤＲＢは、プライマリセルベアラである場合、第２の部分ＤＲＢに含まれなく、前記ＤＲＢは、セカンダリセルベアラである場合、第１の部分ＤＲＢに含まれない。
【０１３３】
前記予め設定された規則は、さらに、
ＤＲＢのＰＤＣＰバージョンが第１のバージョンである場合、前記ＤＲＢが前記第１の制御情報に対応する第１の部分ＤＲＢに含まれること、
ＤＲＢのＰＤＣＰバージョンが第２のバージョンである場合、前記ＤＲＢが前記第２の制御情報に対応する第２の部分ＤＲＢに含まれることのうちの少なくとも１つを含む。
【０１３４】
ここで、前記第１のバージョンと第２のバージョンとは異なり、前記第１のバージョンと第２のバージョンとは、それぞれＬＴＥ ＰＤＣＰバージョン及びＮＲ ＰＤＣＰバージョンである。つまり、第１のバージョンがＬＴＥ ＰＤＣＰである場合、第２のバージョンがＮＲ ＰＤＣＰであり、又は、第１のバージョンがＮＲ ＰＤＣＰである場合、第２のバージョンがＬＴＥ ＰＤＣＰである。
【０１３５】
さらに、ＤＲＢのＰＤＣＰバージョンが第２のバージョンである場合、前記ＤＲＢが前記第１の部分ＤＲＢに含まれなく、ＤＲＢのＰＤＣＰバージョンが第１のバージョンである場合、前記ＤＲＢが前記第２の部分ＤＲＢに含まれない。
【０１３６】
前記予め設定された規則は、さらに、
ＤＲＢのＰＤＣＰがプライマリセルグループ鍵を使用する場合、前記ＤＲＢが前記第１の制御情報に対応する第１の部分ＤＲＢに含まれること、
ＤＲＢのＰＤＣＰがセカンダリセルグループ鍵を使用する場合、前記ＤＲＢが前記第２の制御情報に対応する第２の部分ＤＲＢに含まれることのうちの少なくとも１つを含む。
【０１３７】
ここで、ＤＲＢのＰＤＣＰがプライマリセルグループ鍵を使用する場合、前記ＤＲＢが前記第２の制御情報に対応する第２の部分ＤＲＢに含まれなく、ＤＲＢのＰＤＣＰがセカンダリセルグループ鍵を使用する場合、前記ＤＲＢが前記第１の制御情報に対応する第１の部分ＤＲＢに含まれない。
【０１３８】
前記予め設定された規則は、さらに、
ＤＲＢがオフロードベアラである場合、前記ＤＲＢのＰＤＣＰの位置するグループに基づいて、ＰＤＣＰの位置するグループに対応するノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、前記ＤＲＢに対応するデフォルト伝送経路に基づいて、前記デフォルト伝送経路の以外のノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、前記ＤＲＢに対応するデフォルト伝送経路に基づいて、前記デフォルト伝送経路のノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、前記ＤＲＢ的ＰＤＣＰバージョンに基づいて、前記ＰＤＣＰバージョンに対応するノードからの制御情報に応じて前記ＤＲＢを制御すると決定し、なお、ここのノードがマスタノード又はスレーブノードであり、制御情報が第１の制御情報又は第２の制御情報であること、
ＤＲＢがオフロードベアラである場合、ノードのエアインターフェースタイプに基づいて、特定のエアインターフェースタイプのノードからの制御情報に応じて前記ＤＲＢを制御すると決定することのうちの少なくとも１つを含む。ここで、前記ノードのエアインターフェースタイプは、ＬＴＥのノード、又は、ＮＲのノードであっても良い。それに対応し、特定のエアインターフェースタイプのノードにつて、ＬＴＥのノードを特定のエアインターフェースタイプのノードとして予め設定し、又は、ＮＲのノードを特定のエアインターフェースタイプのノードとして設定する。この規則を設定することにより、２つのノードから制御情報が送られてきた場合に、どちらのノードの制御情報を基準に以降の処理が行われるかをユーザー装置に知らせることができる。
【０１３９】
ＤＲＢがオフロードベアラである場合、前記ＤＲＢのＰＤＣＰの位置するグループに基づいて、ＤＲＢの位置しないグループに対応するノードからの制御情報が前記ＤＲＢを制御することができないと決定する。
【０１４０】
ＤＲＢがオフロードベアラである場合、前記ＤＲＢに対応するデフォルト伝送経路に基づいて、前記デフォルト伝送経路のノードからの制御情報が前記ＤＲＢを制御することができないと決定する。
【０１４１】
ＤＲＢがオフロードベアラである場合、前記ＤＲＢのＰＤＣＰバージョンに基づいて、前記ＰＤＣＰバージョンに対応しないノードからの制御情報が前記ＤＲＢを制御することができないと決定する。
【０１４２】
以上のように、上記の技術案を採用することにより、ＵＥ側では、マスタノードおよび/またはスレーブノードから送信されてくる第１の制御情報および/または第２の制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【０１４３】
実施例五
本発明の実施例は、第２の通信ユニット６１と第２の処理ユニット６２を備えるマスタノードを提供し、図６に示すように、
第２の通信ユニット６１は、スレーブノードとネゴシエーションし、目標ＵＥの少なくとも１つのデータ無線ベアラのデータ複製伝送機能をオン又はオフすると決定し、前記第１の制御情報を前記目標ＵＥに送信するように構成され、
第２の処理ユニット６２は、前記ネゴシエーション結果に基づいて、前記マスタノードが前記目標ＵＥが前記少なくとも１つのデータ無線ベアラ内の第１の部分データ無線ベアラのデータ複製機能をオン又はオフするように制御し、前記スレーブノードが前記目標ＵＥが前記少なくとも１つのデータ無線ベアラ内の第２の部分データ無線ベアラのデータ複製機能をオン又はオフするように制御すると決定し、オン又はオフと決定された前記第１の部分データ無線ベアラＤＲＢのデータ複製機能に基づいて、第１の制御情報を生成し、ここで、前記第１の部分データ無線ベアラと前記第２の部分データ無線ベアラとは、少なくとも一部が異なる。
【０１４４】
ここで、前記マスタノードがプライマリセルグループ（ＭＣＧ）内のノードであっても良く、スレーブノードがセカンダリセルグループ（ＳＣＧ）内のノードであっても良い。
【０１４５】
ネットワーク側のＭＣＧのマスタノードとＳＣＧのスレーブノードは、Ｘｎインタフェースを介してネゴシエーション行って、ＵＥを制御する１つ以上のＤＲＢ複製データ機能のオン又はオフを決定しても良い。
【０１４６】
さらに、前記第２の処理ユニット６２は、ＤＲＢの識別情報とビットマップのデータビットとの対応関係を取得し、
ビットマップにおいて前記第１の部分ＤＲＢの識別情報に対応するデータビットを設定して、前記第１の制御情報を生成するように構成される。
【０１４７】
前記ビットマップフォーマットの第１の制御情報、及びＤＲＢの識別情報の間の対応関係に基づいて、前記第１の制御情報が示す第１の部分ＤＲＢを決定する。及び／又は、前記ビットマップフォーマットの第２の制御情報、及びＤＲＢの識別情報の間の対応関係に基づいて、前記第２の制御情報が示す第２の部分ＤＲＢを決定する。
【０１４８】
例えば、ｂｉｔｍａｐフォーマットの第１の制御情報に８ｂｉｔが含まれている場合、各ｂｉｔが１つのＤＲＢの識別情報に対応し、ｂｉｔ１〜３はそれぞれＤＲＢ１、４、７に対応し、その後残りのｂｉｔe４〜８は無効ｂｉｔであるとする。この場合、biｍａｐにより第１の制御情報がどのＤＲＢのオンまたはオフを示しているかを判断することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【０１４９】
また、第２の制御情報のｂｉｔｍａｐ中のｂｉｔ１〜３はそれぞれＤＲＢのフラグ１、３、７に対応し、残りのｂｉｔは無効ビットとすることができる。なお、ｂｉｔの意味については、前述の設定と同様であるので、説明を省略する。
【０１５０】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【０１５１】
マスタノードがスレーブノードとネゴシエーションすることは、
第２の処理ユニット６２は、目標ＤＲＢがプライマリセルベアラである場合、マスタノードが第１の制御情報によりそれを制御すると決定し、目標ＤＲＢは、ＵＥの複数のＤＲＢのいずれかであり、
第２の処理ユニット６２は、目標ＤＲＢがセカンダリセルベアラである場合、スレーブノードが第２の制御情報によりそれを制御すると決定し、目標ＤＲＢは、ＵＥの複数のＤＲＢのいずれかであり、
第２の処理ユニット６２は、目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定する。つまり、ＤＲＢのＰＤＣＰ位置するグループに基づいて、該ＤＲＢに対応する制御情報がマスタノードからの第１の制御情報であるか、スレーブノードからの第２の制御情報であるかを決定する。
【０１５２】
第２の処理ユニット６２は、目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定する。つまり、ＤＲＢに対応するデフォルト伝送経路に基づいて、該ＤＲＢに対応する制御情報がマスタノードからの第１の制御情報であるか、スレーブノードからの第２の制御情報であるかを決定する。
【０１５３】
第２の処理ユニット６２は、目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定するように構成される。つまり、ＤＲＢのＰＤＣＰバージョンに基づいて、該ＤＲＢに対応する制御情報がマスタノードからの第１の制御情報であるか、スレーブノードからの第２の制御情報であるかを決定する。
【０１５４】
以下、例を上げ実施例における技術案を説明する。
【０１５５】
ＤＲＢとＭＡＣ ＣＥ ｂｉｔｍａｐとの対応は、ＤＲＢ ＩＤの昇順または降順で行い、
例えば、ＵＥのＤＲＢ ＩＤ １、３、４、７は、ＰＤＣＰ複製データ伝送機能をそれぞれ有し、ここで、ＤＲＢ ＩＤ １がＭＣＧ ｂｅａｒｅｒ、ＤＲＢ ＩＤ ３がＳＣＧ ｂｅａｒｅｒ、ＤＲＢ ＩＤ ４及び７がｓｐｌｉｔ ｂｅａｒｅｒであり、
ネットワーク側ＭＣＧおよびＳＣＧは、ＤＲＢ ＩＤ１、４、７がそれぞれＭＮが送信するＭＡＣ ＣＥのｂｉｔｍａｐの１、２、３ビットに対応し、残りの４、５、６、７、８ビットが無効ビットであることを、協調的に決定することができ、
ＤＲＢ ＩＤ３、４、７はそれぞれＳＮが送信するＭＡＣ ＣＥのｂｉｔｍａｐの１、２、３ビットに対応し、残りの４、５、６、７、８ビットは無効ビットであると決定する。
【０１５６】
以上のように、上記の技術案を採用することにより、ＵＥ側では、マスタノードおよび/またはスレーブノードから送信されてくる第１の制御情報および/または第２の制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【０１５７】
実施例六、
本発明の実施例は、第３の通信ユニット７１と、第３の処理ユニット７２とを備えるスレーブノードを提供し、図７に示すように、
第３の通信ユニット７１は、マスタノードとネゴシエーションし、目標ＵＥの少なくとも１つのデータ無線ベアラのデータ複製伝送機能をオン又はオフすると決定し、第２の制御情報を前記目標ＵＥに送信するように構成され、
第３の処理ユニット７２は、前記ネゴシエーション結果に基づいて、前記マスタノードが前記目標ＵＥが前記少なくとも１つのデータ無線ベアラ内の第１の部分データ無線ベアラＤＲＢのデータ複製機能をオン又はオフするように制御し、前記スレーブノードが前記目標ＵＥが前記少なくとも１つのＤＲＢ内の第２の部分データ無線ベアラのデータ複製機能をオンするように制御すると決定し、オン又はオフと決定された前記第２の部分ＤＲＢのデータ複製機能に基づいて、第２の制御情報を生成するように構成され、ここで、前記第１の部分ＤＲＢと前記第２の部分ＤＲＢとは、少なくとも一部が異なる。
【０１５８】
ここで、前記マスタノードがプライマリセルグループ（ＭＣＧ）内のノードであっても良く、スレーブノードがセカンダリセルグループ（ＳＣＧ）内のノードであっても良い。
【０１５９】
ネットワーク側のＭＣＧのマスタノードとＳＣＧのスレーブノードは、Ｘｎインタフェースを介してネゴシエーション行って、ＵＥを制御する１つ以上のＤＲＢ複製データ機能のオン又はオフを決定しても良い。
【０１６０】
さらに、前記第３の処理ユニット７２は、ＤＲＢの識別情報とビットマップのデータビットとの対応関係を取得し、
ビットマップにおいて前記第２の部分ＤＲＢの識別情報に対応するデータビットを設定して、前記第２の制御情報を生成するように構成される。
【０１６１】
例えば、ｂｉｔｍａｐフォーマットの第１の制御情報に８ｂｉｔが含まれている場合、各ｂｉｔが１つのＤＲＢの識別情報に対応し、ｂｉｔ１〜３はそれぞれＤＲＢ１、４、７に対応し、その後残りのｂｉｔe４〜８は無効ｂｉｔであるとする。この場合、biｍａｐにより第１の制御情報がどのＤＲＢのオンまたはオフを示しているかを判断することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【０１６２】
また、第２の制御情報のｂｉｔｍａｐ中のｂｉｔ１〜３はそれぞれＤＲＢのフラグ１、３、７に対応し、残りのｂｉｔは無効ビットとすることができる。なお、ｂｉｔの意味については、前述の設定と同様であるので、説明を省略する。
【０１６３】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【０１６４】
マスタノードがスレーブノードとネゴシエーションするついては、
第３の処理ユニット７２は、目標ＤＲＢがプライマリセルベアラである場合、マスタノードが第１の制御情報によりそれを制御すると決定し、目標ＤＲＢは、ＵＥの複数のＤＲＢのいずれかであり、
第３の処理ユニット７２は、目標ＤＲＢがセカンダリセルベアラである場合、スレーブノードが第２の制御情報によりそれを制御すると決定し、目標ＤＲＢは、ＵＥの複数のＤＲＢのいずれかであり、
第３の処理ユニット７２は、目標ＤＲＢをオフロードベアラとする場合、前記ＤＲＢのＰＤＣＰの位置するグループに対応するノードがマスタノード又はスレーブノードであることに基づいて、マスタノード又はスレーブノードが制御情報を生成して前記目標ＤＲＢのデータ複製機能のオン又はオフを制御すると決定する。つまり、ＤＲＢのＰＤＣＰ位置するグループに基づいて、該ＤＲＢに対応する制御情報がマスタノードからの第１の制御情報であるか、スレーブノードからの第２の制御情報であるかを決定する。
【０１６５】
第３の処理ユニット７２は、目標ＤＲＢをオフロードベアラとする場合、前記目標ＤＲＢに対応するデフォルト伝送経路に基づいて、前記デフォルト伝送経路の以外のマスタノード又はスレーブノードが制御情報を生成して前記第３のＤＲＢのデータ複製伝送機能のオン又はオフを制御すると決定するように構成される。つまり、ＤＲＢに対応するデフォルト伝送経路に基づいて、該ＤＲＢに対応する制御情報がマスタノードからの第１の制御情報であるか、スレーブノードからの第２の制御情報であるかを決定する。
【０１６６】
第３の処理ユニット７２は、目標ＤＲＢをオフロードベアラとする場合、前記目標ＤＲＢのＰＤＣＰバージョンに基づいて、前記ＰＤＣＰバージョンに対応するマスタノード又はスレーブノードが制御情報を生成して、制御情報に応じて前記第３のＤＲＢのデータ複製伝送機能のオン又はオフを制御すると決定するように構成される。つまり、ＤＲＢのＰＤＣＰバージョンに基づいて、該ＤＲＢに対応する制御情報がマスタノードからの第１の制御情報であるか、スレーブノードからの第２の制御情報であるかを決定する。
【０１６７】
以下、例を上げ実施例における技術案を説明する。
【０１６８】
ＤＲＢとＭＡＣ ＣＥ ｂｉｔｍａｐとの対応は、ＤＲＢ ＩＤの昇順または降順で行い、
例えば、ＵＥのＤＲＢ ＩＤ １、３、４、７は、ＰＤＣＰ複製データ伝送機能をそれぞれ有し、ここで、ＤＲＢ ＩＤ １がＭＣＧ ｂｅａｒｅｒ、ＤＲＢ ＩＤ ３がＳＣＧ ｂｅａｒｅｒ、ＤＲＢ ＩＤ ４及び７がｓｐｌｉｔ ｂｅａｒｅｒであり、
ネットワーク側ＭＣＧおよびＳＣＧは、ＤＲＢ ＩＤ１、４、７がそれぞれＭＮが送信するＭＡＣ ＣＥのｂｉｔｍａｐの１、２、３ビットに対応し、残りの４、５、６、７、８ビットが無効ビットであることを、協調的に決定することができ、
ＤＲＢ ＩＤ３、４、７はそれぞれＳＮが送信するＭＡＣ ＣＥのｂｉｔｍａｐの１、２、３ビットに対応し、残りの４、５、６、７、８ビットは無効ビットであると決定する。
【０１６９】
以上のように、上記の技術案を採用することにより、ＵＥ側では、マスタノードおよび/またはスレーブノードから送信されてくる第１の制御情報および/または第２の制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードから送信された制御情報を受信した後、どのＤＲＢのデータ伝送複製機能を具体的にオンにするかを決定することができ、ＵＥの処理効率を保証する。
【０１７０】
実施例七
本発明の実施例は、データ複製伝送の制御方法を提供し、ネットワークノードに応用され、図８に示すように、以下のステップを含み、
ステップ８０１において、予め設定された条件に基づいて、マスタノードが第１の制御情報を送信し、及び／又は、スレーブノードが第２の制御情報を送信すると決定し、
ステップ８０２において、前記第１の制御情報に対応する第１の部分データ無線ベアラＤＲＢの指示、及び／又は、前記第２の制御情報に対応する第２の部分ＤＲＢの指示に基づいて、端末が少なくとも１つのＤＲＢのデータ複製伝送機能をオン又はオフすると決定する。
【０１７１】
この実施例の前記ネットワークノードは、制御ノードであっても良く、マスタノード、スレーブノード及び端末デバイスを制御する。前記マスタノードがプライマリセルグループ（ＭＣＧ）内のノードであっても良く、スレーブノードがセカンダリセルグループ（ＳＣＧ）内のノードであっても良い。ネットワーク側は、この実施例におけるネットワークノードを介して、ＵＥの１つ又は複数のＤＲＢ複製データ機能のオン又はオフを制御する。
【０１７２】
前記方法は、さらに、前記少なくとも１つのＤＲＢにはＰＤＣＰバージョンが第１のバージョンであるＤＲＢが含まれる場合、スレーブノードが第２の制御情報を送信しないと決定することを含む。
【０１７３】
前記少なくとも１つのＤＲＢにはＰＤＣＰバージョンが第１のバージョンであるＤＲＢが含まれる場合、前記少なくとも１つのＤＲＢにはオフロードベアラが含まれ、スレーブノードが第２の制御情報を送信しないと決定する。
【０１７４】
前記方法は、さらに、
前記少なくとも１つのＤＲＢにはＰＤＣＰバージョンが第２のバージョンであるＤＲＢが含まれる場合、マスタノードが第１の制御情報を送信しないと決定することを含む。
【０１７５】
前記少なくとも１つのＤＲＢにはＰＤＣＰバージョンが第２のバージョンであるＤＲＢが含まれる場合、前記方法は、さらに、前記少なくとも１つのＤＲＢにはオフロードベアラが含まれ、又は、前記少なくとも１つのＤＲＢには、ＰＤＣＰバージョンが第２のバージョンであるプライマリセルグループベアラが含まれることを含む。
【０１７６】
さらに、前記端末デバイスが少なくとも１つのＤＲＢのデータ複製伝送機能をオン又はオフすると決定することは、ＤＲＢの識別情報とビットマップのデータビットとの対応関係を取得し、ビットマップにおいて前記ＤＲＢの識別情報に対応するデータビットを設定して、端末デバイスが少なくとも１つのＤＲＢのデータ複製伝送機能をオン又はオフすると決定することであっても良い。
【０１７７】
例えば、ｂｉｔ１〜３はそれぞれＤＲＢ１、４、７に対応し、その後残りのｂｉｔe４〜８は無効ｂｉｔであるとする。この場合、biｍａｐにより、どのＤＲＢのオンまたはオフを示しているかを決定することができる。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【０１７８】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【０１７９】
以上のように、上記の技術案を採用することにより、ＵＥ側では、ネットワークノードからの制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードからの制御情報を受信した後、どのＤＲＢのデータ伝送複製機能を具体的にオンにするかを決定することができ、ＵＥの処理効率を保証する。
【０１８０】
実施例八
本発明の実施例は、第４の通信ユニット９１と第４の処理ユニット９２とを備えるネットワークノードを提供し、図９に示すように、
第４の通信ユニット９１は、予め設定された条件に基づいて、マスタノードが第１の制御情報を送信し、及び／又は、スレーブノードが第２の制御情報を送信すると決定するように構成され、
第４の処理ユニット９２は、前記第１の制御情報に対応する第１の部分データ無線ベアラＤＲＢの指示、及び／又は、前記第２の制御情報に対応する第２の部分ＤＲＢの指示に基づいて、端末が少なくとも１つのＤＲＢのデータ複製伝送機能をオン又はオフすると決定するように構成される。
【０１８１】
第４の処理ユニット９２は、前記少なくとも１つのＤＲＢにはＰＤＣＰバージョンが第１のバージョンであるＤＲＢが含まれる場合、スレーブノードが第２の制御情報を送信しないと決定するように構成される。
【０１８２】
第４の処理ユニット９２は、前記少なくとも１つのＤＲＢにはＰＤＣＰバージョンが第１のバージョンであるＤＲＢが含まれる場合、前記少なくとも１つのＤＲＢにはオフロードベアラが含まれ、スレーブノードが第２の制御情報を送信しないと決定するように構成される。
【０１８３】
第４の処理ユニット９２は、前記少なくとも１つのＤＲＢにはＰＤＣＰバージョンが第２のバージョンであるＤＲＢが含まれる場合、マスタノードが第１の制御情報を送信しないと決定するように構成される。
【０１８４】
第４の処理ユニット９２は、前記少なくとも１つのＤＲＢにはＰＤＣＰバージョンが第２のバージョンであるＤＲＢが含まれる場合、前記少なくとも１つのＤＲＢにはオフロードベアラが含まれ、又は、前記少なくとも１つのＤＲＢには、ＰＤＣＰバージョンが第２のバージョンであるプライマリセルグループベアラが含まれるように構成される。
【０１８５】
さらに、前記端末デバイスが少なくとも１つのＤＲＢのデータ複製伝送機能をオン又はオフすると決定することは、ＤＲＢの識別情報とビットマップのデータビットとの対応関係を取得し、ビットマップにおいて前記ＤＲＢの識別情報に対応するデータビットを設定して、端末デバイスが少なくとも１つのＤＲＢのデータ複製伝送機能をオン又はオフすると決定することであっても良い
例えば、ｂｉｔ１〜３はそれぞれＤＲＢ１、４、７に対応し、その後残りのｂｉｔe４〜８は無効ｂｉｔであるとする。さらに、ｂｉｔｍａｐのいずれかのｂｉｔを０に設定してＤＲＢのデータ伝送複製機能をオフにすることを示し、ｂｉｔを１に設定してＤＲＢのデータ伝送複製機能をオンにすることを示す。もちろん、この実施例における網羅的な記載がない限り、その逆の記載も可能である。
【０１８６】
前記ＤＲＢは、ＭＣＧ ｂｅａｒｅｒ、ＳＣＧ ｂｅａｒｅｒ、Ｓｐｌｉｔ ｂｅａｒｅｒの３つの種類を有し、ＭＮが送信するＭＡＣ ＣＥは、ＭＣＧ ｂｅａｒｅｒ及びＳｐｌｉｔ ｂｅａｒｅｒのデータ複製機能のオン/オフを制御し、ＳＮが送信するＭＡＣ ＣＥは、ＳＣＧ ｂｅａｒｅｒ、ｓｐｌｉｔ ｂｅａｒｅｒのデータ複製機能のオン/オフを制御する。
【０１８７】
以上のように、上記の技術案を採用することにより、ＵＥ側では、ネットワークノードからの制御情報に基づいて、自身の少なくとも１つのＤＲＢのデータ伝送複製機能をオンまたはオフするか否かを決定することができる。このように、デュアルコネクティビティのシーンにおいて、ＵＥは、２つのノードからの制御情報を受信した後、どのＤＲＢのデータ伝送複製機能を具体的にオンにするかを決定することができ、ＵＥの処理効率を保証する。
【０１８８】
本発明の実施例は、図１０に示されるように、少なくとも１つのプロセッサ１００１と、メモリ１００２と、少なくとも１つのネットワークインターフェース１００３とを含む、ユーザーデバイスＵＥ又はノードのハードウェア構成アーキテクチャをさらに提供する。様々な構成要素は、バスシステム１００４によって互いに結合される。バスシステム１００４は、これらの構成要素間の接続通信を可能にするために使用されることが理解される。バスシステム１００４は、データバスの他に、電源バス、制御バス、ステータス信号バスを有する。ただし、説明を分かりやすくするために、図１０では、様々なバスをバスシステム１００４と表記している。
【０１８９】
本発明の実施例におけるメモリ１００２は、揮発性メモリ又は不揮発性メモリであってもよく、或いは揮発性メモリ及び不揮発性メモリの両方を含んでもよいことが理解される。
【０１９０】
いくつかの実施形態において、メモリ１００２は、実行可能モジュールもしくはデータ構造、またはそれらのサブセット、またはそれらの拡張セットの要素として、オペレーティングシステム１００２１及びアプリケーション１００２２を記憶する。
【０１９１】
ここで、前記プロセッサ１００１は、前記実施例１〜実施例３のいずれかの方法ステップを処理するように構成され、ここでその詳しい説明は省略する。
【０１９２】
本発明の実施例は、実行されると、前述の実施例１〜３のいずれかの方法ステップを実施するコンピュータ実行可能命令を記憶したコンピュータ記憶媒体を提供する。
【０１９３】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態に記載された方法の全てまたは一部を１つのコンピュータ装置(パーソナルコンピュータ、サーバ、または、マスタノード、スレーブノードなどであってもよい)に実行させるための複数の命令を含む１つの記憶媒体に記憶されたソフトウェア製品の形態で具現化されてもよい。また、前記記憶媒体としては、Ｕ字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１９４】
従って、本発明の実施例は、本発明の実施例によるデータスケジューリング方法を実行するように構成されたコンピュータプログラムを格納するコンピュータ記憶媒体をさらに提供する。
【０１９５】
以上、本発明の好ましい実施形態について説明したが、本発明はこれらの実施形態に限定されず、その要旨の範囲内で種々の変形及び変更が可能である。
【図１】
2021503244.tif 000003
【図２】
2021503244.tif 000004
【図３】
2021503244.tif 000005
【図４】
2021503244.tif 000006
【図５】
2021503244.tif 000007
【図６】
2021503244.tif 000008
【図７】
2021503244.tif 000009
【図８】
2021503244.tif 000010
【図９】
2021503244.tif 000011
【図１０】
2021503244.tif 000012
【国際調査報告】
2021503244.tif 000013
2021503244.tif 000014
2021503244.tif 000015
2021503244.tif 000016